(57)【要約】【課題】導光板の熱膨張に好適に対応することができる遊技機を提供すること。【解決手段】前保持部材５０３，中保持部材５０４，後保持部材５０５は、第１導光板５１１や第２導光板５２１を一面側と他面側とから挟み込むように前取付位置や後取付位置に保持可能であり、第１導光板５１１や第２導光板５２１を前保持部材５０３，中保持部材５０４，後保持部材５０５により保持した状態において、第１導光板５１１や第２導光板５２１と前保持部材５０３，中保持部材５０４，後保持部材５０５との間に隙間Ｓ２０，Ｓ２１，Ｓ２２が設けられる。【選択図】図１７
2018126294.tif 000002
【特許請求の範囲】
【請求項１】
遊技が可能な遊技機であって、
遊技に関する演出を実行可能な演出実行手段と、
発光手段と、
前記発光手段からの光が端面から入射されることにより演出表示を行うことが可能な導光板と、
前記導光板を取付位置に保持するための保持体と、
を備え、
前記演出実行手段は、前記導光板による演出を複数のタイミングで実行可能であり、
前記保持体は、前記導光板を一面側と他面側とから挟み込むように前記取付位置に保持可能であり、
前記導光板を前記保持体により保持した状態において、前記導光板と前記保持体との間に隙間が設けられ、
前記導光板による演出の実行タイミングにより期待度が異なる
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機やスロットマシンにおいて、例えば、図柄の変動表示や遊技に関連する演出画像を表示する表示装置とは別個に、発光手段からの光が端面から入射されることにより演出表示を行うことが可能な導光板を備えるものがある。
【０００３】
また、液晶表示装置の面発光装置として、導光板と、該導光板の側端面側の側端部に配設された棒状の導光体及び該導光体の長手方向の両端側に配設された発光素子とからなる発光手段と、発光手段及び導光板の側端部を一面側と他面側とから挟み込むように取付位置に保持する側面視コ字形の保持体と、を備え、該保持体に、導光板を保持した状態において該導光板に点接触する凸部を設け、導光板に対する接触面積を小さくすることにより、保持体の膨張収縮による応力が導光板の広い面に作用して導光板と発光手段との位置ずれが生じることを抑制したもの等があった（例えば、特許文献１参照）。
【先行技術文献】
【特許文献】
【０００４】
【特許文献１】特開２００３−２２７０５号公報
【発明の概要】
【発明が解決しようとする課題】
【０００５】
上記特許文献１に記載の遊技機では、凸部が常に導光板に接触しているため、導光板が熱膨張したときに不具合が生じる虞があった。
【０００６】
本発明は、このような問題点に着目してなされたもので、導光板の熱膨張に好適に対応することができる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
遊技に関する演出を実行可能な演出制御手段（例えば、演出制御用ＣＰＵ１２０など）と、
発光手段（例えば、第１導光板ＬＥＤ５１２，５１７、第２導光板ＬＥＤ５２２）と、
前記発光手段からの光が端面（例えば、上端面５１１Ａ，５２１Ａ、左端面５１１Ｂ）から入射されることにより演出表示（発光表示）を行うことが可能な導光板（例えば、第１導光板５１１、第２導光板５２１）と、
前記導光板を取付位置（例えば、前取付位置、後取付位置）に保持するための保持体（例えば、前保持部材５０３，中保持部材５０４，後保持部材５０５）と、
を備え、
前記演出実行手段は、前記導光板による演出を複数のタイミング（例えば、１の変動表示が開始した時、１の変動表示においてリーチ状態が発生する前、１の変動表示においてリーチ状態が発生した時、１の変動表示においてリーチ状態が発生した後、大当り遊技状態中など）で実行可能であり、
前記保持体は、前記導光板を一面側と他面側とから挟み込むように前記取付位置に保持可能であり、
前記導光板を前記保持体により保持した状態において、前記導光板と前記保持体との間に隙間（例えば、隙間Ｓ２０，Ｓ２１，Ｓ２２）が設けられ（図８、図１７、図２１参照）、
前記導光板による演出の実行タイミングにより期待度が異なる
ことを特徴としている。
この特徴によれば、導光板の熱膨張に対し好適に対応できる。また、導光板による演出の実行タイミングに遊技者の注意を集めることができれば、導光板による演出の演出効果を向上でき、導光板による演出に基づく興趣をより向上させることができる。
【０００８】
本発明の手段２の遊技機は、手段１に記載の遊技機であって、
前記導光板と前記保持体との間の隙間（例えば、隙間Ｓ２０，Ｓ２１，Ｓ２２）は、前記導光板の板厚寸法よりも小さい（図１７、Ｓ２０，Ｓ２１，Ｓ２２＜Ｌ１５）
ことを特徴としている。
この特徴によれば、導光板の熱膨張に対し好適に対応できる。
【０００９】
本発明の手段３の遊技機は、手段１または２に記載の遊技機であって、
前記保持体は、第１部材（例えば、中保持部材５０４）と第２部材（例えば、後保持部材５０５）とから構成され、
前記第１部材には、前記発光手段に対する前記導光板の位置決め用ボス（例えば、第３位置決め用ボス５７３Ａ，５７３Ｂ，５４３Ａ，５４３Ｂ）が設けられ、
前記導光板には、前記位置決め用ボスが挿入可能な挿入部（例えば、第３孔部６３３Ａ，６３３Ｂ，６４３Ａ，６４３Ｂ）が設けられ、
前記導光板を前記保持体により保持した状態において、前記位置決め用ボスの突出寸法（例えば、突出寸法Ｌ３０）は、前記導光板と前記保持体との間の隙間（例えば、隙間Ｓ２０，Ｓ２１，Ｓ２２）よりも大きい（図１９、Ｌ３０＞隙間Ｓ２０，Ｓ２１，Ｓ２２）
ことを特徴としている。
この特徴によれば、導光板の熱膨張に対し好適に対応できる。
【００１０】
本発明の手段４の遊技機は、手段１〜３のいずれかに記載の遊技機であって、
前記保持体において前記導光板と対向する位置に凹凸部（例えば、凹凸部５４９）が設けられ、
前記導光板を前記保持体により保持した状態において、前記凹凸部における凸部（例えば、凸部５４９Ａ）と前記導光板との間に隙間（例えば、隙間Ｓ２２）が設けられる（図８（Ｂ））
ことを特徴としている。
この特徴によれば、導光板の熱膨張に対し好適に対応できる。
【００１１】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１２】
【図１】パチンコ遊技機を正面から見た正面図である。
【図２】遊技制御基板（主基板）の回路構成例を示すブロック図である。
【図３】（Ａ）は導光板装置を斜め前から見た状態を示す斜視図、（Ｂ）は導光板装置を斜め後ろから見た状態を示す斜視図である。
【図４】導光板装置の構成を斜め前から見た状態を示す分解斜視図である。
【図５】導光板装置の構成を斜め後ろから見た状態を示す分解斜視図である。
【図６】前保持部材を斜め後ろから見た状態を示す斜視図である。
【図７】前保持部材に第１集光レンズ及び第１導光板を取付ける状態を示す要部拡大斜視図である。
【図８】（Ａ）は前保持部材の左側辺部の上部を示す背面図、（Ｂ）は凹凸部と第１導光板との間に生じる隙間を示す断面図である。
【図９】中保持部材の前面に対する第２導光板ＬＥＤ基板及び第２集光レンズの取付状態を示す斜視図である。
【図１０】中保持部材の背面に対する第１導光板ＬＥＤ基板及び第１集光レンズの取付状態を示す斜視図である。
【図１１】後保持部材を斜め前から見た状態を示す斜視図である。
【図１２】（Ａ）は凸条と第１集光レンズとの位置関係を示す概略図、（Ｂ）は（Ａ）のＪ−Ｊ断面図である。
【図１３】（Ａ）は凸条と第１集光レンズとの位置関係を示す概略図、（Ｂ）は（Ａ）のＫ−Ｋ断面図である。
【図１４】第１集光レンズ及び第２集光レンズを示す六面図である。
【図１５】（Ａ）は第２導光板、（Ｂ）は第１導光板を示す正面図である。
【図１６】導光板装置における各位置決め用ボスと各挿入部との配置位置を示す正面図である。
【図１７】図１６のＡ−Ａ断面図である。
【図１８】（Ａ）は図１６のＢ−Ｂ断面図、（Ｂ）はＣ−Ｃ断面図である。
【図１９】（Ａ）は図１６のＤ−Ｄ断面図、（Ｂ）はＥ−Ｅ断面図である。
【図２０】（Ａ）は図１６のＦ−Ｆ断面図、（Ｂ）はＧ−Ｇ断面図である。
【図２１】（Ａ）は図１６のＨ−Ｈ断面図、（Ｂ）はＩ−Ｉ断面図である。
【図２２】（Ａ）は第２導光板の通常時、（Ｂ）は第２導光板の熱膨張時の態様を示す正面図である。
【図２３】Ａ）は第１導光板の通常時、（Ｂ）は第１導光板の熱膨張時の態様を示す正面図である。
【図２４】（Ａ）は第２演出表示態様、（Ｂ）は第１演出表示態様を示す説明図である。
【図２５】（Ａ）はＬＥＤ、集光レンズ、導光板の導光態様を示す図、（Ｂ）は図２４（Ａ）のＬ−Ｌ断面図である。
【図２６】（Ａ）は第１導光板及び第２導光板と前保持部材，中保持部材及び後保持部材との位置関係を示す分解斜視図、（Ｂ）は第１導光板及び第２導光板と前保持部材，中保持部材及び後保持部材との位置関係を示す概略縦断面図である。
【図２７】（Ａ）（Ｂ）は第２導光板と前保持部材及び中保持部材との位置関係を示す概略図、（Ｃ）（Ｄ）は第１導光板と前保持部材、中保持部材及び後保持部材との位置関係を示す概略図である。
【発明を実施するための形態】
【００１３】
本発明に係る遊技機を実施するための形態を実施例に基づいて以下に説明する。
【実施例】
【００１４】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１５】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００１６】
図１に示すように、遊技盤２は、アクリル樹脂、ポリカーボネート樹脂、メタクリル樹脂等の透光性を有する合成樹脂材にて正面見略四角形状に形成され、前面である遊技盤面に障害釘（図示略）やガイドレール２ｂ等が設けられた盤面板（図示略）と、該盤面板の背面側に一体的に取付けられるスペーサ部材（図示略）と、から主に構成されている。尚、遊技盤２はベニヤ板にて構成されていてもよい。
【００１７】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００１８】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００１９】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２０】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。遊技盤２の背面と演出表示装置５との間には、後述する演出ユニット３００が設けられている。また、演出ユニット３００と遊技盤２の背面との間には後述する導光板装置５００が設けられており、遊技盤２における開口２ｃから後述する第１導光板５１１、第２導光板５２１を透して演出ユニット３００の可動体３０１及び演出表示装置５の表示画面を視認できるようになっている。
【００２１】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２２】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２３】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２４】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００２５】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００２６】
図１に示すように、普通入賞球装置６Ａの右方位置には、特別可変入賞球装置７が設けられている。特別可変入賞球装置７は、図２に示す大入賞口扉用となるソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００２７】
大入賞口を通過（進入）した遊技球が図２に示すカウントスイッチ２３によって検出されたことに基づき、所定個数（例えば１５個）の遊技球が賞球として払い出される。したがって、特別可変入賞球装置７において大入賞口が開放状態となれば、その大入賞口に遊技球が進入可能となり、遊技者にとって有利な第１の状態となる。その一方で、特別可変入賞球装置７において大入賞口が閉鎖状態となれば、大入賞口に遊技球を通過（進入）させて賞球を得ることが不可能または困難になり、遊技者にとって不利な第２の状態となる。
【００２８】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００２９】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、更に遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３０】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３１】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３２】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３３】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３４】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３５】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００３６】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ、演出用ＬＥＤ９、第１導光板ＬＥＤ５１２，５１７、第２導光板ＬＥＤ５２２、演出用モータ３０２といった演出用の電気部品による演出動作を制御するための各種回路や、スティックコントローラ３１Ａ、プッシュボタン３１Ｂといった電気部品の動作を検出するための各種回路が搭載されている。
【００３７】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。また、ＲＯＭ１２１には、演出制御用のプログラムの他にも、演出動作を制御するために用いられる各種のデータテーブルなどが格納されている。
【００３８】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板が遊技領域１０から退避する開放制御が行われ、所定時間が経過すると遊技領域１０に突出する閉鎖位置に戻る通常開放制御が行われる。
【００３９】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４０】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４１】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１の状態（開放状態）とするラウンドが実行される。
【００４２】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２の状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００４３】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００４４】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００４５】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００４６】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板の移動制御を行う移動制御時間を通常状態のときよりも長くする制御、その移動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００４７】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００４８】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００４９】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５０】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５１】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００５２】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００５３】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９、第１導光板ＬＥＤ５１２，５１７、第２導光板ＬＥＤ５２２、の発光及び演出ユニット３００の演出用モータ３０２の駆動制御等を行う演出図柄変動中処理、演出図柄の変動を停止し表示結果（停止図柄）を導出表示する制御を行う演出図柄変動停止処理を行う。
【００５４】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００５５】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００５６】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００５７】
また、本実施例では、上記予告を含む各種演出として、演出ユニット３００の可動体３０１による可動体演出や、導光板装置５００を用いた発光演出（演出表示）や、演出ユニット３００、導光板装置５００、スピーカ８Ｌ，８Ｒ、及び演出用ＬＥＤ９による複合演出を実行可能とされている。尚、これら各種演出は、例えば、変動表示中における所定タイミングや、遊技者がスティックコントローラ３１Ａまたはプッシュボタン３１Ｂを操作したタイミングで実行される。
【００５８】
演出ユニット３００は、演出用モータ３０２及び図示しない駆動機構と、遊技盤２の背面に取付けられる図示しないベース部に対し移動可能に設けられた可動体３０１とを有し、可動体３０１は、演出表示装置５の上部に配置される待機位置と、演出表示装置５の表示画面の前側略中央位置に重畳する演出位置と、の間で上下方向に移動可能とされている。
【００５９】
次に、導光板装置５００について、図３〜図２３に基づいて説明する。図３は、（Ａ）は導光板装置を斜め前から見た状態を示す斜視図、（Ｂ）は導光板装置を斜め後ろから見た状態を示す斜視図である。図４は、導光板装置の構成を斜め前から見た状態を示す分解斜視図である。図５は、導光板装置の構成を斜め後ろから見た状態を示す分解斜視図である。図６は、前保持部材を斜め後ろから見た状態を示す斜視図である。図７は、前保持部材に第１集光レンズ及び第１導光板を取付ける状態を示す要部拡大斜視図である。図８は、（Ａ）は前保持部材の左側辺部の上部を示す背面図、（Ｂ）は凹凸部と第１導光板との間に生じる隙間を示す断面図である。図９は、中保持部材の前面に対する第２導光板ＬＥＤ基板及び第２集光レンズの取付状態を示す斜視図である。図１０は、中保持部材の背面に対する第１導光板ＬＥＤ基板及び第１集光レンズの取付状態を示す斜視図である。図１１は、後保持部材を斜め前から見た状態を示す斜視図である。図１２は、（Ａ）は凸条と第１集光レンズとの位置関係を示す概略図、（Ｂ）は（Ａ）のＪ−Ｊ断面図である。図１３は、（Ａ）は凸条と第１集光レンズとの位置関係を示す概略図、（Ｂ）は（Ａ）のＫ−Ｋ断面図である。図１４は、第１集光レンズ及び第２集光レンズを示す六面図である。図１５は、（Ａ）は第２導光板、（Ｂ）は第１導光板を示す正面図である。図１６は、導光板装置における各位置決め用ボスと各挿入部との配置位置を示す正面図である。図１７は、図１６のＡ−Ａ断面図である。図１８は、（Ａ）は図１６のＢ−Ｂ断面図、（Ｂ）はＣ−Ｃ断面図である。図１９は、（Ａ）は図１６のＤ−Ｄ断面図、（Ｂ）はＥ−Ｅ断面図である。図２０は、（Ａ）は図１６のＦ−Ｆ断面図、（Ｂ）はＧ−Ｇ断面図である。図２１は、（Ａ）は図１６のＨ−Ｈ断面図、（Ｂ）はＩ−Ｉ断面図である。図２２は、（Ａ）は第２導光板の通常時、（Ｂ）は第２導光板の熱膨張時の態様を示す正面図である。図２３は、（Ａ）は第１導光板の通常時、（Ｂ）は第１導光板の熱膨張時の態様を示す正面図である。尚、以下の説明において、各種複数の取付ネジのうち一部の図示は省略する。
【００６０】
図３〜図５に示すように、導光板装置５００は、第１導光板ユニット５０１と、該第１導光板ユニット５０１の前方に配置される第２導光板ユニット５０２と、第１導光板ユニット５０１と第２導光板ユニット５０２とを前後から挟むように保持する前保持部材５０３、中保持部材５０４及び後保持部材５０５と、から主に構成される。詳しくは、中保持部材５０４と後保持部材５０５とは、第１導光板ユニット５０１を前後から挟むように後取付位置に保持し、前保持部材５０３と中保持部材５０４とは、第２導光板ユニット５０２を前後から挟むように後保持位置よりも前側の前取付位置に保持する。後保持部材５０５は、複数のネジＮ１により中保持部材５０４の背面に取付けられるとともに、複数のネジＮ２により前保持部材５０３の背面に取付けられ、中保持部材５０４は、複数のネジＮ３により前保持部材５０３の背面に取付けられる。
【００６１】
よって、前保持部材５０３、中保持部材５０４及び後保持部材５０５は、中保持部材５０４と後保持部材５０５との間に第１導光板ユニット５０１を保持し、かつ、前保持部材５０３と中保持部材５０４との間に第２導光板ユニット５０２を保持した状態で一体化されることで導光板装置５００が構成され、該導光板装置５００は、前保持部材５０３を図示しないネジにより遊技盤２のスペーサ部材の背面に取付けることで、遊技盤２の背面側に取付けられる。
【００６２】
第１導光板ユニット５０１は、第１導光板５１１と、第１導光板５１１の上方に配置される第１導光板ＬＥＤ基板５１３の背面に左右方向に向けて所定間隔おきに複数配設され赤（Ｒ）・緑（Ｇ）・青（Ｂ）の発光素子を有し、７色にて発光可能なフルカラーＬＥＤからなる第１導光板ＬＥＤ５１２と、第１導光板ＬＥＤ５１２から入射された光を第１導光板５１１の上端面５１１Ａに向けて集光する第１集光レンズ５１４と、第１導光板５１１の左側方に配置される第１導光板ＬＥＤ基板５１８Ｌの背面に上下方向に向けて所定間隔おきに複数配設され赤（Ｒ）・緑（Ｇ）・青（Ｂ）の発光素子を有し、７色にて発光可能なフルカラーＬＥＤからなる第１導光板ＬＥＤ５１７と、第１導光板ＬＥＤ５１７から入射された光を第１導光板５１１の左端面５１１Ｂに向けて集光する第１集光レンズ５１９と、第１導光板ＬＥＤ基板５１８Ｌの前面に上下方向に向けて複数配設された第１導光板ＬＥＤ５０７Ｌと、第１導光板５１１の右側方に配置される第１導光板ＬＥＤ基板５１８Ｒの前面に上下方向に向けて複数配設された第１導光板ＬＥＤ５０７Ｒと、を有する。尚、第１導光板ＬＥＤ５０７Ｌ，５０７Ｒは、赤（Ｒ）・緑（Ｇ）・青（Ｂ）の発光素子を有し、７色にて発光可能なフルカラーＬＥＤからなり前方に向けて光を照射可能に設けられており、照射された光が前保持部材５０３を透して前方に出射されることにより、前保持部材５０３の左右側辺部の前面が発光するようになっている。
【００６３】
第２導光板ユニット５０２は、第１導光板５１１の前方に離れて配置される第２導光板５２１と、第２導光板５２１の上方に配置される第２導光板ＬＥＤ基板５２３の前面に左右方向に向けて所定間隔おきに複数配設され赤（Ｒ）・緑（Ｇ）・青（Ｂ）の発光素子を有し、７色にて発光可能なフルカラーＬＥＤからなる第２導光板ＬＥＤ５２２と、第２導光板ＬＥＤ５２２から入射された光を第２導光板５２１の上端面５２１Ａに向けて集光する第２集光レンズ５２４と、を有する。
【００６４】
第１導光板ＬＥＤ基板５１３は、複数のネジＮ４により中保持部材５０４の背面に取付けられ、第１導光板ＬＥＤ基板５１８Ｌ，５１８Ｒは、複数のネジＮ５により前保持部材５０３の背面の左右側辺部に取付けられ、第２導光板ＬＥＤ基板５２３は、複数のネジＮ６により中保持部材５０４の前面に取付けられる。
【００６５】
図６〜図８に示すように、前保持部材５０３は、透光性を有する（透明な）アクリル樹脂により、板状の上辺部５０３Ｈ及び左右の側辺部５０３Ｌ，５０３Ｒにより下向き略コ字形に形成されている。上辺部５０３Ｈの背面左右側には、第１導光板５１１を前保持部材５０３に対する後取付位置に保持する際の位置決め用の第１位置決め用ボス５５１と第２位置決め用ボス５５２とがそれぞれ突設されている。また、上辺部５０３Ｈの背面には、後述する第２集光レンズ５２４の前面側に突設される複数の集光レンズ位置決め用ボス５９３Ｆが嵌合する位置決め孔５３０が複数個所に形成されているとともに、第２集光レンズ５２４の左右端部を保持するレンズ用フック５３１が左右に形成されている。
【００６６】
左右の側辺部５０３Ｌ，５０３Ｒ各々の背面下位置には、第１導光板５１１を前保持部材５０３に対する後取付位置に保持する際の位置決め用の第３位置決め用ボス５４３Ａ，５４３Ｂが突設されているとともに、左下の第３位置決め用ボス５４３Ａの左斜め下方位置には、第２位置決め用ボス５４２が突設されている。
【００６７】
また、左右の側辺部５０３Ｌ，５０３Ｒ各々の背面には、後保持部材５０５を取付けるためのネジＮ１が螺入される複数の保持枠用ボス５４５が突設されているとともに、第１導光板ＬＥＤ基板５１８Ｌ，５１８Ｒを取付けるためのネジＮ５が螺入される複数のネジ孔５４６が形成されている。第１導光板ＬＥＤ基板５１８Ｌ，５１８Ｒが取付けられた状態において、複数の第１導光板ＬＥＤ５１７は、右側方、つまり右側に向けて光を照射可能に上下方向に向けて列設される。
【００６８】
また、左右の側辺部５０３Ｌ，５０３Ｒ各々の背面には、第１導光板ＬＥＤ５０７Ｌ，５０７Ｒからの光を拡散するための複数の凸部からなる光拡散部５３２が形成されている。尚、側辺部５０３Ｌ，５０３Ｒの前面には、図示しないレンズ部材と該レンズ部材を被覆する発光パネル５４７Ｌ，５４７Ｒ（図４参照）が取付けられている。
【００６９】
また、左右の側辺部５０３Ｌ，５０３Ｒ各々の内側辺には、内壁部５４８Ｌ，５４８Ｒが背面側に向けて突出するように立設されている。これら内壁部５４８Ｌ，５４８Ｒの後端縁部には、所定間隔ごとに凹部５４９Ｂが形成されており、これにより内壁部５４８Ｌ，５４８Ｒの後端縁部は、凹部５４９Ｂと凸部５４９Ａとからなる凹凸部５４９Ｌ，５４９Ｒとして形成されている。凹凸部５４９Ｌ，５４９Ｒは、後述するように第１導光板５１１が中保持部材５０４と後保持部材５０５とにより後取付位置に保持された状態において、第１導光板５１１の前面における左右側部に対向するように設けられている。
【００７０】
次に、図９及び図１０に示すように、中保持部材５０４は、透光性を有する（透明な）アクリル樹脂により左右方向に延びる板状に形成されている。中保持部材５０４の左右側の下端部には、所定の前後幅を有する板片により、第１導光板５１１と第２導光板５２１との間に所定の隙間を設けるための枠状部５６０Ｌ，５６０Ｒが形成されている。
【００７１】
また、中保持部材５０４には、中保持部材５０４の前面よりも前方に突出する凸条５６２Ｆが下辺部に沿って延設されている。この凸条５６２Ｆの前端部は、枠状部５６０Ｌ，５６０Ｒの前端部と面一をなして連結されており、後述するように第２導光板５２１が中保持部材５０４と前保持部材５０３との間に保持された状態において、第２導光板５２１の背面における上縁部に対向するように設けられている。
【００７２】
図９に示すように、中保持部材５０４の前面には、第２導光板ＬＥＤ基板５２３を取付けるためのネジＮ６が螺入されるネジ孔５６１が形成されている。中保持部材５０４の前面に第２導光板ＬＥＤ基板５２３が取付けられた状態において、複数の第２導光板ＬＥＤ５２２が、下方に向けて光を照射可能に左右方向に向けて直線状に列設される。
【００７３】
図１０に示すように、中保持部材５０４の背面には、第１導光板ＬＥＤ基板５１３を取付けるためのネジＮ４が螺入されるネジ孔５６３が形成されている。中保持部材５０４の背面に第１導光板ＬＥＤ基板５１３が取付けられた状態において、複数の第１導光板ＬＥＤ５１２が、下方に向けて光を照射可能に左右方向に向けて直線状に列設される。また、背面左右側には、第１集光レンズ５１４の左右端部を保持するレンズ用フック５６４が左右に形成されている。
【００７４】
中保持部材５０４には、中保持部材５０４の背面よりも後方に突出する凸条５６２Ｂが下辺部に沿って延設されている。この凸条５６２Ｂの後端部は、枠状部５６０Ｌ，５６０Ｒの後端部と面一をなして連結されており、後述するように第１導光板５１１が中保持部材５０４と後保持部材５０５との間に保持された状態において、第１導光板５１１の背面における上縁部に対向するように設けられている。
【００７５】
また、中保持部材５０４の背面左右側には、第１導光板５１１を中保持部材５０４に対する後取付位置に保持する際の位置決め用の第１位置決め用ボス５７１と第２位置決め用ボス５７２とがそれぞれ突設されている。また、第１位置決め用ボス５７１の左側には第３位置決め用ボス５７３Ａが突設され、第２位置決め用ボス５７２の右側には第３位置決め用ボス５７３Ｂが突設されている。このように構成される中保持部材５０４は、第１導光板５１１と第２導光板５２１との間に所定の隙間を設けるためのスペーサ部材として機能する。
【００７６】
図１１に示すように、後保持部材５０５は、非透光性を有する（不透明な）合成樹脂により、板状の上辺部５０５Ｈ及び左右の側辺部５０５Ｌ，５０５Ｒにより下向き略コ字形に形成されている。上辺部５０５Ｈの前面には、後述する第１集光レンズ５１４の背面側に突設される複数の集光レンズ位置決め用ボス５９３Ｂが嵌合する位置決め孔５８０が複数個所に形成されている。
【００７７】
図１２に示すように、上辺部５０５Ｈの前面における各位置決め孔５８０の間には、前方に向けて突出する凸条５８１が左右方向に延設されており、第１集光レンズ５１４が第１導光板ＬＥＤ基板５１３の背面に配置された状態において該第１集光レンズ５１４の背面における左右方向にわたり当接するようになっている。
【００７８】
図１３に示すように、左側の側辺部５０５Ｌの前面には、前方に向けて突出する凸条５８２が上下方向に延設されており、第１集光レンズ５１９が第１導光板ＬＥＤ基板５１８Ｌの背面に配置された状態において該第１集光レンズ５１９の背面における左右方向にわたり当接するようになっている。
【００７９】
図１４に示すように、第１集光レンズ５１４，５１９及び第２集光レンズ５２４は、アクリル樹脂またはポリカーボネート樹脂等の透光性を有する（透明な）合成樹脂材により長板状に形成されている。具体的には、第１集光レンズ５１４、第２集光レンズ５２４の下辺部及び第１集光レンズ５１９の右辺部には、正面視で第１導光板５１１、第２導光板５２１側に膨出する略半円形状の複数の凸部５９０が長手方向に複数連続して並設されている。各凸部５９０は、第１導光板ＬＥＤ５１２，５１７、第２導光板ＬＥＤ５２２の各々に対応して１つずつ形成され、各第１導光板５１１の上端面５１１Ａ及び左端面５１１Ｂ、第２導光板５２１の５２１Ａ各々に対向する対向端面は、正面視において導光板側に向けて突出するように湾曲して形成され光を出射する出射面５９０Ａ（レンズ面）を構成している。
【００８０】
第１集光レンズ５１４、第２集光レンズ５２４の上辺部及び第１集光レンズ５１９の左辺部には、正面視で第１導光板ＬＥＤ５１２，５１７、第２導光板ＬＥＤ５２２側に膨出する複数の凸部５９１が長手方向に複数連続して並設されている。各凸部５９１は、第１導光板ＬＥＤ５１２，５１７、第２導光板ＬＥＤ５２２の各々に対応して１つずつ形成され、各第１導光板ＬＥＤ５１２，５１７、第２導光板ＬＥＤ５２２に対向する対向端面は、正面視において角ＬＥＤ側に向けて突出するように湾曲して形成され光を入射する入射面５９１Ａ（レンズ面）を構成している。尚、各凸部５９１の入射面５９１Ａは、凸部５９０の出射面５９０Ａに比べて曲率が極めて小さく僅かに膨出する程度に形成されている。
【００８１】
尚、複数の凸部５９０，５９１は、第１導光板ＬＥＤ５１２，５１７、第２導光板ＬＥＤ５２２の各々に一対一に対応するものに限らず、例えば２以上のＬＥＤ（発光体）に対応する凸部５９０，５９１が複数設けられていてもよい。また、第１集光レンズ５１４，５１９及び第２集光レンズ５２４は複数の凸部５９０，５９１が一体に設けられた単一の部材にて構成されていたが、第１導光板ＬＥＤ５１２，５１７、第２導光板ＬＥＤ５２２の各々に対応して互いに別個に形成された複数の集光レンズ部材にて構成されていてもよい。
【００８２】
第１集光レンズ５１４、第２集光レンズ５２４の左右端部及び第１集光レンズ５１９の上下端部には、押え片５９２Ａ，５９２Ｂが形成されている。第１集光レンズ５１４の押え片５９２Ａ，５９２Ｂは、中保持部材５０４の背面に形成された左右のレンズ用フック５６４に係止され（図１０参照）、第２集光レンズ５２４の押え片５９２Ａ，５９２Ｂは、前保持部材５０３の前面に形成された左右のレンズ用フック５３１（図６参照）に係止され、第１集光レンズ５１９の押え片５９２Ａ，５９２Ｂは、いずれのレンズ用フックにも係止されない（図７参照）。
【００８３】
第１集光レンズ５１４、第２集光レンズ５２４及び第１集光レンズ５１９の前面には、複数の集光レンズ位置決め用ボス５９３Ｆがそれぞれ前方に向けて突出するように形成され、第１集光レンズ５１４及び第２集光レンズ５２４の背面には、複数の集光レンズ位置決め用ボス５９３Ｂがそれぞれ後方に向けて突出するように形成されている。尚、第１集光レンズ５１９の背面には集光レンズ位置決め用ボス５９３Ｂは形成されていない。
【００８４】
第１集光レンズ５１４は、前側の集光レンズ位置決め用ボス５９３Ｆは第１導光板ＬＥＤ基板５１３に形成された位置決め孔５９４に挿入され（図１０参照）、後側の集光レンズ位置決め用ボス５９３Ｂは後保持部材５０５に形成された位置決め孔５８０（図１１参照）に挿入される。また、第１集光レンズ５１９は、前側の集光レンズ位置決め用ボス５９３Ｆは第１導光板ＬＥＤ基板５１８Ｌに形成された位置決め孔５９５Ａに挿入される（図７参照）。
【００８５】
第２集光レンズ５２４は、前側の集光レンズ位置決め用ボス５９３Ｆは前保持部材５０３に形成された位置決め孔５３０に挿入され（図６参照）、後側の集光レンズ位置決め用ボス５９３Ｂは後保持部材５０５に形成された位置決め孔５９５（図９参照）に挿入される。
【００８６】
これら各集光レンズ位置決め用ボス５９３Ｆ，５９３Ｂは、各第１集光レンズ５１４、第２集光レンズ５２４及び第１集光レンズ５１９に形成された複数のうち一の凸部５９０，５９１に対応する位置であって、各レンズにおいて最も幅寸法（上下幅寸法や左右幅寸法）が長い位置、つまり、幅寸法が短い位置に比べて強度が高い位置に突設されているため、位置決め精度が向上する。また、各第１集光レンズ５１４、第２集光レンズ５２４及び第１集光レンズ５１９における前後面、つまり、光の出射面５９０Ａや入射面５９１Ａ以外の位置、詳しくは、光の出射面５９０Ａや入射面５９１Ａに対し直交する面の表面に突出するように設けられているため、光の入射や出射に影響を及ぼすことがない。また、前後の集光レンズ位置決め用ボス５９３Ｆ，５９３Ｂは、前後のうち一方に対応する位置に他方が設けられている。
【００８７】
図１５（Ａ）に示すように、第２導光板５２１は、所定の板厚寸法Ｌ１５｛板厚（例えば、２．５ｍｍ）｝を有する透明なアクリル樹脂板により形成されている。上端面５２１Ａは、左右方向に延設される平坦面からなる。左右の斜辺部及び側辺部は、前保持部材５０３及び中保持部材５０４に沿うように形成され、下辺部は、可動体３０１が待機位置にあるときに該可動体３０１の下辺部に沿うように非直線状に形成されている。
【００８８】
第２導光板５２１の背面には、第２導光板ＬＥＤ５２２からの光を反射して前面から出射させるための反射部５９６が形成されている（図２４（Ｂ）参照）。反射部５９６は、「激熱！」の文字を発光表示可能な態様に配置されている。
【００８９】
図１５（Ｂ）に示すように、第１導光板５１１は、所定の板厚寸法Ｌ１５｛板厚（例えば、２．５ｍｍ）｝を有する透明なアクリル樹脂板により形成されている。上端面５１１Ａは左右方向に延設される平坦面からなり、左端面５１１Ｂは上下方向に延設される平坦面からなり、右側辺部及び下辺部は前保持部材５０３及び後保持部材５０５に沿うように形成されており、演出表示装置５の表示画面及び演出ユニット３００の可動体３０１の前方を被覆可能な形状とされている。
【００９０】
第１導光板５１１の背面には、第１導光板ＬＥＤ５１２からの光を反射して前面から出射させるための反射部５９７Ａと、第１導光板ＬＥＤ５１７からの光を反射して前面から出射させるための反射部５９７Ｂと、がそれぞれ形成されている（図２４（Ｂ）参照）。反射部５９７Ａは、「激熱！」の文字を発光表示可能な態様に配置され、反射部５９７Ｂは、可動体３０１が演出位置に移動したときに該可動体３０１の周囲を装飾するエフェクトを発光表示可能な態様に配置されている。尚、反射部５９７Ａは、第２導光板ＬＥＤ５２２の反射部５９６と同様の文字を発光表示可能に構成され、第１導光板５１１と第２導光板５２１とを前後に重畳するように前保持部材５０３、中保持部材５０４、後保持部材５０５により保持して所定の取付位置に保持した状態において、反射部５９６の背面側に重畳するように第１導光板５１１に配置されている。
【００９１】
これら反射部５９６，５９７Ａ，５９７Ｂは、図２４（Ｂ）に示すように、第１導光板５１１や第２導光板５２１の内部を導光される光の進行方向の断面視が一定ピッチの略三角波形状をなす凹凸状態（粗面）に形成されている。具体的には、スタンパーやインジェクションにより第１導光板５１１や第２導光板５２１の背面に凹凸部をつける成型方式にて構成されているが、例えばアクリル板に白色インクで反射ドットを印刷したシルク印刷方式や、アクリル板と反射板とをドット状の粘着材で貼り付けた貼着ドット方式や、溝加工方式等により反射部を構成してもよい。
【００９２】
尚、本実施例では、反射部５９６，５９７Ａ，５９７Ｂを光の進行方向の断面視が略三角波形状の凹凸部としているが、本発明はこれに限定されるものではなく、これら反射部５９６，５９７Ａ，５９７Ｂの断面形状を略半円形状等、光を前方に向けて反射可能な反射面を構成するものであれば種々に変形可能である。尚、図１５において、反射部５９７Ａは点線で囲まれた文字として表されているが、実際には点線はなく、上記ドット等の集まりにより文字が形成されている。
【００９３】
また、第１導光板ＬＥＤ５１２からの光のみが反射部５９７Ａにて前方に反射して「激熱！」の文字が発光表示され、第１導光板ＬＥＤ５１７からの光のみが反射部５９７Ｂにて前方に反射してエフェクトが発光表示する導光構造の詳細についての説明は省略する。尚、本実施例では、第１導光板ＬＥＤ５１２からの光のみが反射部５９７Ａで反射し、第１導光板ＬＥＤ５１７からの光のみが反射部５９７Ｂで反射する構成であったが、第１導光板ＬＥＤ５１２からの光または第１導光板ＬＥＤ５１７からの光が反射部５９７Ａ，５９７Ｂ双方で反射して発光表示するようにしてもよい。
【００９４】
また、本実施例では、第１導光板５１１や第２導光板５２１により表示可能とする表示情報として文字や絵柄が例示されているが、これら以外にも、記号、図柄、あるいは模様等の装飾も含む他の表示情報を表示可能としてもよい。また、第１導光板５１１や第２導光板５２１は、透光性を有していれば必ずしも透明でなくてもよく、例えば着色されていてもよいし、半透明とされていてもよい。
【００９５】
これら第１導光板５１１及び第２導光板５２１は、アクリル樹脂材により板厚寸法Ｌ１５が約２．５ｍｍの透明板からなり、遊技盤２を構成する透明な合成樹脂材からなる盤面板の板厚寸法（例えば、約１０ｍｍ）に比べて肉薄であるため、後述するように、パチンコ遊技機１に組付けられた状態において、パチンコ遊技機１の内部の温度変化により伸び縮みが発生することがある。
【００９６】
パチンコ遊技機１は、遊技盤２の前面側はガラス扉枠５０により閉鎖され、背面側はカバー体（図示略）により閉鎖されており、これらガラス扉枠５０とカバー体とにより閉鎖された内部空間には、液晶表示器等からなる演出表示装置５や、制御基板、ＬＥＤ、駆動源（モータやソレノイド）といった多数の熱源が設けられている。よって、パチンコ遊技機１の稼働時の内部温度は非稼働時に比べて高くなるため、演出表示装置５とガラス窓５０ａとの間に設けられる第１導光板５１１及び第２導光板５２１は、例えば、約４０度の温度変化により最大で約１．６ｍｍの伸び縮みが生じる。
【００９７】
具体的には、例えば第１導光板５１１の場合、反り公差（平面度交差）は約３〜６ｍｍ程度とされているため、例えば、導光板装置５００を遊技盤２の背面に取付けた状態において、前側の第２導光板５２１との離間寸法及び後側の演出表示装置５や他の部材との離間寸法は、６ｍｍを超えた寸法とすることが好ましい。
【００９８】
一方、導光板装置５００は、第１導光板５１１及び第２導光板５２１は、それぞれの周縁の一部が前保持部材５０３、中保持部材５０４、後保持部材５０５により前後から挟持された状態で遊技盤２の背面側に取付けられる構造であるため、製造上の寸法公差や組付誤差によるアセンブリの歪みなどで前保持部材５０３、中保持部材５０４、後保持部材５０５に接触して傷ついたり破損する虞があるばかりか、上記したような温度変化による伸び縮みにより前保持部材５０３、中保持部材５０４、後保持部材５０５に接触して傷ついたり破損する虞がある。
【００９９】
よって、本実施例の導光板装置５００は、以下に説明するように、パチンコ遊技機１の内部の温度変化や、製造上の寸法公差や組付誤差に対応できるように、第１導光板５１１及び第２導光板５２１は、各前保持部材５０３、中保持部材５０４、後保持部材５０５に対し所定の隙間（クリアランス）をもって取付けられている。
【０１００】
図１５（Ａ）及び図１６、図１７に示すように、第２導光板５２１の上端面５２１Ａの右側下方位置には、前保持部材５０３の背面左側に突設された第１位置決め用ボス５５１が挿入可能な第１挿入部としての正面視円形状の第１孔部６０１が形成されている。また、第２導光板５２１の上端面５２１Ａの左側下方位置には、前保持部材５０３の背面右側に突設された第２位置決め用ボス５５２が挿入可能な第２挿入部としての正面視横長形状の第２孔部６０２が形成されている。
【０１０１】
第１孔部６０１と第２孔部６０２とは、これら第１孔部６０１と第２孔部６０２の中心を通る直線ＬＮ２が、上端面５２１Ａ（第２導光板５２１の上辺）に沿う直線ＬＮ１に対し平行をなすように、上端面５２１Ａの近傍位置に形成されている。詳しくは、直線ＬＮ１と直線ＬＮ２との離間寸法Ｌ２０は、第２導光板５２１の板厚寸法Ｌ１５の２倍の長さ（２．５ｍｍ×２＝５ｍｍ）より長寸とされている（Ｌ２０＞Ｌ１５×２）。つまり、第１孔部６０１と第２孔部６０２とは、上端面５２１Ａ（第２導光板５２１の上辺）から第２導光板５２１の板厚寸法Ｌ１５の２倍以上離れた位置に形成されている。
【０１０２】
また、第１孔部６０１と第２孔部６０２とは、上端面５２１Ａ（第２導光板５２１の上辺）に対してだけでなく、第２導光板５２１の周縁から第２導光板５２１の板厚寸法Ｌ１５の２倍以上離れた位置に形成されていることで、第２導光板５２１の周縁近傍の強度が孔部により著しく低下しないように適切に維持されている。
【０１０３】
図１７に示すように、第１孔部６０１の直径Ｌ１は、第１位置決め用ボス５５１の直径Ｌ２よりも若干長寸とされているが（Ｌ１＞Ｌ２）、第１孔部６０１に第１位置決め用ボス５５１が挿入された状態において、第１孔部６０１と第１位置決め用ボス５５１との間に左右上下方向の隙間Ｓ１（Ｌ１−Ｌ２）がほぼ生じない。つまり、第１位置決め用ボス５５１は第１孔部６０１に嵌合される。
【０１０４】
第２孔部６０２の左右寸法Ｌ３Ａは、第２位置決め用ボス５５２の直径Ｌ４よりも長寸とされ（Ｌ３Ａ＞Ｌ４）、第２孔部６０２の上下寸法Ｌ３Ｂは、第２位置決め用ボス５５２の直径Ｌ４よりも若干長寸とされている（Ｌ３Ｂ＞Ｌ４）。よって、第２孔部６０２に第２位置決め用ボス５５２が挿入された状態において、第２孔部６０２と第２位置決め用ボス５５２との間に左右方向の隙間Ｓ２（Ｌ３Ａ−Ｌ４）が生じるが、上下方向の隙間Ｓ３（Ｌ３Ｂ−Ｌ４）がほぼ生じない。
【０１０５】
左右方向の隙間Ｓ２は、隙間Ｓ１よりも大きい（Ｓ２（Ｌ３Ａ−Ｌ４）＞Ｓ１（Ｌ１−Ｌ２））。また、隙間Ｓ１と隙間Ｓ３とはほぼ同寸とされている（Ｓ１（Ｌ１−Ｌ２）＝Ｓ３（Ｌ３Ｂ−Ｌ４））。つまり、第２孔部６０２は、第２位置決め用ボス５５２に対する第２導光板５２１の左右方向への移動を許容し、上下方向への移動を許容しない。
【０１０６】
図１５（Ｂ）及び図１６、図１８に示すように、第１導光板５１１の上端面５１１Ａの左側の斜辺の下方位置には、中保持部材５０４の背面左側に突設された第１位置決め用ボス５７１が挿入可能な第１挿入部としての正面視円形状の第１孔部６１１が形成されている。また、第１導光板５１１の上端面５１１Ａの右側の斜辺の下方位置には、中保持部材５０４の背面右側に突設された第２位置決め用ボス５７２が挿入可能な第２挿入部としての第２孔部６１２が形成されている。第２孔部６１２は左右方向に向けて延設される長孔にて構成されている。
【０１０７】
第１孔部６１１と第２孔部６１２とは、これら第１孔部６１１と第２孔部６１２の中心を通る直線ＬＮ４が、上端面５１１Ａ（第１導光板５１１の上辺）に沿う直線ＬＮ３に対し平行をなすように、上端面５１１Ａの近傍位置に形成されている。詳しくは、直線ＬＮ３と直線ＬＮ４との離間寸法Ｌ２１は、第２導光板５２１の板厚寸法Ｌ１５の２倍の長さ（２．５ｍｍ×２＝５ｍｍ）より長寸とされている（Ｌ２１＞Ｌ１５×２）。つまり、第１孔部６１１と第２孔部６１２とは、上端面５１１Ａ（第１導光板５１１の上辺）から第１導光板５１１の板厚寸法Ｌ１５の２倍以上離れた位置に形成されている。
【０１０８】
また、第１孔部６１１と第２孔部６１２とは、上端面５１１Ａ（第１導光板５１１の上辺）に対してだけでなく、第１導光板５１１の周縁から第１導光板５１１の板厚寸法Ｌ１５の２倍以上離れた位置に形成されていることで、第１導光板５１１の周縁近傍の強度が孔部により著しく低下しないように適切に維持されている。
【０１０９】
また、第１導光板５１１の左下角部には、前保持部材５０３の背面右側に突設された第２位置決め用ボス５４２が挿入可能な第２挿入部としての第２孔部６２２が形成されている。第２孔部６２２は上下方向に向けて延設される長孔にて構成されており、左端面５１１Ｂ（左側辺）の下方位置に配置されている。
【０１１０】
図１８（Ａ）に示すように、第１孔部６１１の直径Ｌ５は、第１位置決め用ボス５７１の直径Ｌ６よりも若干長寸とされているが（Ｌ５＞Ｌ６）、第１孔部６１１に第１位置決め用ボス５７１が挿入された状態において、第１孔部６１１と第１位置決め用ボス５７１との間に左右上下方向の隙間Ｓ１１（Ｌ５−Ｌ６）がほぼ生じない。つまり、第１位置決め用ボス５７１は第１孔部６１１に嵌合される。
【０１１１】
第２孔部６１２の左右寸法Ｌ７Ａは、第２位置決め用ボス５７２の直径Ｌ８よりも長寸とされ（Ｌ７Ａ＞Ｌ８）、第２孔部６１２の上下寸法Ｌ７Ｂは、第２位置決め用ボス５７２の直径Ｌ８よりも若干長寸とされている（Ｌ７Ｂ＞Ｌ８）。よって、第２孔部６１２に第２位置決め用ボス５７２が挿入された状態において、第２孔部６１２と第２位置決め用ボス５７２との間に左右方向の隙間Ｓ１２（Ｌ７Ａ−Ｌ８）が生じるが、上下方向の隙間Ｓ１３（Ｌ７Ｂ−Ｌ８）がほぼ生じない。
【０１１２】
左右方向の隙間Ｓ１２は、隙間Ｓ１１よりも大きい（Ｓ１２（Ｌ７Ａ−Ｌ８）＞Ｓ１１（Ｌ５−Ｌ６））。また、隙間Ｓ１１と隙間Ｓ１３とはほぼ同寸とされている（Ｓ１１（Ｌ５−Ｌ６）＝Ｓ１３（Ｌ７Ｂ−Ｌ８））。つまり、第２孔部６１２は、第２位置決め用ボス５７２に対する第１導光板５１１の左右方向への移動を許容し、上下方向への移動を許容しない。
【０１１３】
また、図１８（Ｂ）に示すように、第２孔部６２２の上下寸法Ｌ７Ｃは、第２位置決め用ボス５４２の直径Ｌ８よりも長寸とされ（Ｌ７Ｃ＞Ｌ８）、第２孔部６２２の左右寸法Ｌ７Ｄは、第２位置決め用ボス５４２の直径Ｌ８よりも若干長寸とされている（Ｌ７Ｄ＞Ｌ８）。よって、第２孔部６２２に第２位置決め用ボス５４２が挿入された状態において、第２孔部６２２と第２位置決め用ボス５４２との間に上下方向の隙間Ｓ１４（Ｌ７Ｃ−Ｌ８）が生じるが、左右方向の隙間Ｓ１５（Ｌ７Ｄ−Ｌ８）がほぼ生じない。
【０１１４】
上下方向の隙間Ｓ１４は、隙間Ｓ１１よりも大きい（Ｓ１４（Ｌ７Ｃ−Ｌ８）＞Ｓ１１（Ｌ５−Ｌ６））。また、隙間Ｓ１１と隙間Ｓ１５とはほぼ同寸とされている（Ｓ１１（Ｌ５−Ｌ６）＝Ｓ１５（Ｌ７Ｄ−Ｌ８））。つまり、第２孔部６１２は、第２位置決め用ボス５７２に対する第１導光板５１１の左右方向への移動を許容し、上下方向への移動を許容しない。
【０１１５】
尚、第１位置決め用ボス５５１の直径Ｌ２と第２位置決め用ボス５５２の直径Ｌ４とはほぼ同寸とされ（Ｌ２＝Ｌ４）、第１位置決め用ボス５７１の直径Ｌ６と第２位置決め用ボス５７２，５４２の直径Ｌ８とはほぼ同寸とされている（Ｌ６＝Ｌ８）。また、第１位置決め用ボス５５１，５７１の直径と第２位置決め用ボス５７２，５４２の直径とは全て同寸とされている。尚、本実施例では、全ての第１位置決め用ボス５５１，５７１の直径と第２位置決め用ボス５７２，５４２の直径とは全て同寸とされているが、各々異なっていてもよい。
【０１１６】
第１導光板５１１の左上角部には、中保持部材５０４の背面左側に突設された第３位置決め用ボス５７３Ａが挿入可能な第３挿入部としての第３孔部６３３Ａが形成され、第１導光板５１１の右上角部には、中保持部材５０４の背面右側に突設された第３位置決め用ボス５７３Ｂが挿入可能な第３挿入部としての第３孔部６３３Ｂが形成されている。
【０１１７】
また、第１導光板５１１の左下角部には、前保持部材５０３の側辺部５０３Ｌの背面下部に突設された第３位置決め用ボス５４３Ａが挿入可能な第３挿入部としての第３孔部６４３Ａが形成され、第１導光板５１１の右下角部には、前保持部材５０３の側辺部５０３Ｒの背面下部に突設された第３位置決め用ボス５４３Ｂが挿入可能な第３挿入部としての第３孔部６４３Ｂが形成されている。
【０１１８】
これら第３孔部６３３Ａ，６３３Ｂ、６４３Ａ，６４３Ｂは、第１導光板５１１の周縁から第１導光板５１１の板厚寸法Ｌ１５の２倍以上離れた位置に形成されている（例えば、左端面５１１Ｂから第３孔部６３３Ａの中心までの離間寸法Ｌ２２＞Ｌ１５×２）ことで、第１導光板５１１の周縁近傍の強度が孔部により著しく低下しないように適切に維持されている。
【０１１９】
図１９及び図２０に示すように、第３孔部６３３Ａ，６３３Ｂ，６４３Ａ，６４３Ｂの直径Ｌ９は、第３位置決め用ボス５７３Ａ，５７３Ｂ，５４３Ａ，５４３Ｂの直径Ｌ１０よりも長寸とされている（Ｌ９＞Ｌ１０）。よって第３孔部６３３Ａ，６３３Ｂ，６４３Ａ，６４３Ｂに対応する第３位置決め用ボス５７３Ａ，５７３Ｂ，５４３Ａ，５４３Ｂが挿入された状態において、第３孔部６３３Ａ，６３３Ｂ，６４３Ａ，６４３Ｂと第３位置決め用ボス５７３Ａ，５７３Ｂ，５４３Ａ，５４３Ｂとの間に隙間Ｓ１６（Ｌ９−Ｌ１０、約２．２ｍｍ）が上下左右方向に生じる。
【０１２０】
尚、隙間Ｓ１６は、隙間Ｓ１，Ｓ１１よりも長寸とされている（Ｓ１６（Ｌ９−Ｌ１０）＞Ｓ１（Ｌ１−Ｌ２）、Ｓ１１（Ｌ５−Ｌ６），Ｓ１１）。また、第３位置決め用ボス５７３Ａ，５７３Ｂ，５４３Ａ，５４３Ｂの直径Ｌ１０は、第１位置決め用ボス５５１，５７１の直径Ｌ２，Ｌ６よりも長寸とされ（Ｌ１０＞Ｌ２，Ｌ６）、第２位置決め用ボス５５２，５７２，５４２の直径Ｌ４，Ｌ８よりも長寸とされている（Ｌ１０＞Ｌ４，Ｌ８）。
【０１２１】
また、図１５に示すように、第１導光板５１１の背面における周縁近傍位置には、第１導光板５１１の製造時において、成型品である第１導光板５１１を図示しないエジャクタピン（押出ピンともいう）により金型から押出して取出す際に形成される複数のエジェクタピン跡６５０が形成されている。エジェクタピン跡６５０は、第１導光板５１１を金型から取出す際にエジャクタピンにより押圧されることにより形成される凸部（例えば、突出寸法約０．１ｍｍ程度）であり、注視しないと視認が困難な程度のものである。特に第１導光板５１１の周縁における各孔部の近傍には、取出し時の破損を防止するために２箇所ずつ形成されている。
【０１２２】
このように構成された導光板装置５００は、図４及び図５に示すように、前保持部材５０３と中保持部材５０４とにより、第２導光板５２１を前面側と背面側とから挟み込むように前取付位置に保持するとともに、前保持部材５０３及び中保持部材５０４と後保持部材５０５とにより、第１導光板５１１を前面側と背面側とから挟み込むように後取付位置に保持することができる。
【０１２３】
詳しくは、第２導光板５２１の第１孔部６０１を前保持部材５０３の第１位置決め用ボス５５１に挿入し、第２導光板５２１の第２孔部６０２を前保持部材５０３の第２位置決め用ボス５５２に挿入し、第２導光板５２１を前保持部材５０３の背面側に配置した状態で、第２導光板ＬＥＤ基板５２３及び第２集光レンズ５２４を取付けた中保持部材５０４をネジＮ３により前保持部材５０３に取付けることで、前保持部材５０３と中保持部材５０４とは、第２導光板５２１を前面側と背面側とから挟み込むように前取付位置に保持する。
【０１２４】
第２位置決め用ボス５５２と第２孔部６０２とは、第２導光板５２１を前取付位置に取付けた状態において、第２位置決め用ボス５５２と第２孔部６０２との間に生じる隙間Ｓ２が第１位置決め用ボス５５１と第１孔部６０１との間に生じる隙間Ｓ１よりも大きく（Ｓ２＞Ｓ１）、上端面５２１Ａに平行または略平行な特定方向（左右方向）への第２導光板５２１の移動を許容する一方で該左右方向以外の方向（上下方向など）への第２導光板５２１の移動を規制するように設けられる。尚、図１６に示すように、第２位置決め用ボス５５２は、第２孔部６０２の長手方向の略中央位置に配置される。
【０１２５】
次いで、第１導光板５１１の第１孔部６１１を中保持部材５０４の第１位置決め用ボス５７１に挿入し、第１導光板５１１の第２孔部６１２を中保持部材５０４の第２位置決め用ボス５７２に挿入し、第３孔部６３３Ａを中保持部材５０４の第３位置決め用ボス５７３Ａに挿入し、第３孔部６３３Ｂを中保持部材５０４の第３位置決め用ボス５７３Ｂに挿入する。一方、第１導光板５１１の第２孔部６２２を前保持部材５０３の第２位置決め用ボス５４２に挿入し、第１導光板５１１の第３孔部６４３Ａを前保持部材５０３の第３位置決め用ボス５４３Ａに挿入し、第１導光板５１１の第３孔部６４３Ｂを前保持部材５０３の第３位置決め用ボス５４３Ｂに挿入する。
【０１２６】
そして、第１導光板５１１を中保持部材５０４の背面側に配置した状態で、後保持部材５０５の上辺部５０５ＨをネジＮ１により中保持部材５０４に取付け、後保持部材５０５の左右の側辺部５０５Ｌ，５０５ＲをネジＮ２により前保持部材５０３に取付けることで、中保持部材５０４と後保持部材５０５とは、第１導光板５１１を前面側と背面側とから挟み込むように後取付位置に保持する。
【０１２７】
第２位置決め用ボス５７２と第２孔部６１２とは、第１導光板５１１を後取付位置に取付けた状態において、第２位置決め用ボス５７２と第２孔部６１２との間に生じる隙間Ｓ１２が第１位置決め用ボス５７１と第１孔部６１１との間に生じる隙間Ｓ１１よりも大きく、上端面５１１Ａに平行または略平行な特定方向（左右方向）への第１導光板５１１の移動を許容する一方で該左右方向以外の方向（上下方向など）への第１導光板５１１の移動を規制するように設けられる。
【０１２８】
また、第２位置決め用ボス５４２と第２孔部６２２とは、第１導光板５１１を後取付位置に取付けた状態において、第２位置決め用ボス５４２と第２孔部６２２との間に生じる隙間Ｓ１４が第１位置決め用ボス５７１と第１孔部６１１との間に生じる隙間Ｓ１１よりも大きく（Ｓ１４＞Ｓ１１）、左端面５１１Ｂに平行または略平行な特定方向（上下方向）への第１導光板５１１の移動を許容する一方で該上下方向以外の方向（左右方向など）への第１導光板５１１の移動を規制するように設けられる。
【０１２９】
また、第３位置決め用ボス５７３Ａ，５７３Ｂ，５４３Ａ，５４３Ｂと第３孔部６３３Ａ，６３３Ｂ，６４３Ａ，６４３Ｂとの隙間Ｓ１６は、第１導光板５１１における第３位置決め用ボスの軸心に対し直交する全方向（左右上下方向）への移動を許容する。
【０１３０】
図１６に示すように、第２位置決め用ボス５７２は、第２孔部６１２の長手方向の略中央位置に配置され、第２位置決め用ボス５４２は、第２孔部６２２の長手方向の略中央位置に配置され、第３位置決め用ボス５７３Ａ，５７３Ｂ，５４３Ａ，５４３Ｂは、第３孔部６３３Ａ，６３３Ｂ，６４３Ａ，６４３Ｂの略中央位置に配置される。
【０１３１】
また、前保持部材５０３の背面側に中保持部材５０４が取付けられ、前保持部材５０３及び中保持部材５０４の背面側に後保持部材５０５が取付けられることで、前取付位置に第２導光板５２１が保持されるとともに後取付位置に第１導光板５１１が保持された状態で前保持部材５０３、中保持部材５０４及び後保持部材５０５が一体化される。
【０１３２】
また、第１導光板５１１と第２導光板５２１を前保持部材５０３、中保持部材５０４及び後保持部材５０５により前取付位置と後取付位置とに保持した状態において、前保持部材５０３の背面には中保持部材５０４が所定の隙間を隔てて配置され、中保持部材５０４の背面には後保持部材５０５が所定の隙間を隔てて配置される。
【０１３３】
第２導光板５２１を前保持部材５０３と中保持部材５０４とにより保持した状態において、第２導光板５２１の下辺部を除く周縁部は、前保持部材５０３と中保持部材５０４の周縁部とにより前後から挟持される。特に第２導光板５２１の背面における下辺部を除く周縁部には、中保持部材５０４の凸条５６２Ｆが近接して配置される。
【０１３４】
また、図２４に示すように、第２導光板５２１は、上端面５２１Ａが第２集光レンズ５２４の各凸部５９０の出射面５９０Ａに近接して配置される。つまり、上端面５２１Ａが各第２導光板ＬＥＤ５２２を通る直線と平行又は略平行をなすように配置される。
【０１３５】
一方、第１導光板５１１を前保持部材５０３及び中保持部材５０４と後保持部材５０５により保持した状態において、第１導光板５１１の上辺部は、中保持部材５０４と後保持部材５０５の周縁部とにより前後から挟持される。特に第１導光板５１１の前面における上辺部には、中保持部材５０４の凸条５６２Ｂが近接して配置される。また、後保持部材５０５の前面に形成された凸条５８１が、第１集光レンズ５１４の背面に左右方向にわたり当接するようになっている。
【０１３６】
また、図２４に示すように、第１導光板５１１は、上端面５１１Ａが第１集光レンズ５１４の各凸部５９０の出射面５９０Ａに近接して配置される。つまり、上端面５１１Ａが各第１導光板ＬＥＤ５１２を通る直線と平行又は略平行をなすように配置される。また、左端面５１１Ｂが第１集光レンズ５１９の各凸部５９０の出射面５９０Ａに近接して配置される。つまり、左端面５１１Ｂが各第１導光板ＬＥＤ５１７を通る直線と平行又は略平行をなすように配置される。
【０１３７】
第２導光板５２１を前保持部材５０３と中保持部材５０４とにより保持した状態において、第２導光板５２１と中保持部材５０４との間に隙間が設けられる。また、第１導光板５１１を中保持部材５０４と後保持部材５０５とにより保持した状態において、第１導光板５１１と中保持部材５０４との間に隙間が設けられる。
【０１３８】
詳しくは、例えば、図１７の拡大図に示すように、中保持部材５０４の凸条５６２Ｆと第２導光板５２１の背面との間には隙間Ｓ２０が設けられ、中保持部材５０４の凸条５６２Ｂと第１導光板５１１の前面との間には隙間Ｓ２１が設けられる。これら隙間Ｓ２０，２１は、第２導光板５２１や第１導光板５１１の板厚寸法Ｌ１５以下の寸法（例えば、約０．２ｍｍ程度）とされている（Ｓ２０，Ｓ２１＜Ｌ１５）。
【０１３９】
また、例えば、図１９の拡大図に示すように、第３位置決め用ボス５７３Ａの中保持部材５０４の背面からの突出長さＬ３０は、上記隙間Ｓ２１よりも長寸とされている（Ｌ３０＞Ｓ２１）ことで、第３位置決め用ボス５７３Ａと後保持部材５０５との間から第１導光板５１１が抜けてしまうことが防止されている。
【０１４０】
また、例えば、図８及び図２１（Ａ）、（Ｂ）に示すように、保持体としての前保持部材５０３の左右の側辺部５０３Ｌ，５０３Ｒには、第１導光板５１１を保持した状態において該第１導光板５１１と対向する凹凸部５４９Ｌ，５４９Ｒが、内壁部５４８Ｌ，５４８Ｒの後端縁部に形成されている。そしてこの凸部５４９Ａと第１導光板５１１の前面との間に隙間Ｓ２２が設けられる。これら隙間Ｓ２２は、第２導光板５２１や第１導光板５１１の板厚寸法Ｌ１５以下の寸法（例えば、約０．２ｍｍ程度）とされている（Ｓ２２＜Ｌ１５）。
【０１４１】
また、図８（Ａ）に示すように、第１導光板５１１を中保持部材５０４と後保持部材５０５とで挟持した状態において、凹凸部５４９Ｌ，５４９Ｒは、第１導光板５１１の背面に形成されたエジェクタピン跡６５０と対向しない位置に配置されている。詳しくは、第１導光板５１１が中保持部材５０４と後保持部材５０５とにより保持された状態において、第１導光板５１１の左側辺に形成された各エジェクタピン跡６５０は、凹凸部５４９Ｌ，５４９Ｒよりも内側、つまり、周縁から離れた位置に形成されているため、エジェクタピン跡６５０が凸部５４９Ａと接触することにより第１導光板５１１の表面に傷が付くことが抑制されている。
【０１４２】
図２６及び図２７に示すように、このように構成された導光板装置５００にあっては、第１導光板５１１及び第２導光板５２１を保持体としての前保持部材５０３，中保持部材５０４及び後保持部材５０５により、第１導光板５１１及び第２導光板５２１の周縁の一部（上辺部及び左右側辺部）を前後側から挟持するように保持することで、保持体における前取付位置に第２導光板５２１が取付けられ、前取付位置よりも後方の後取付位置に第１導光板５１１が取付けられる。
【０１４３】
そして、このように２枚の第１導光板５１１及び第２導光板５２１が前保持部材５０３，中保持部材５０４及び後保持部材５０５により保持された状態において、前側の第２導光板５２１の前面周縁部には前保持部材５０３が対向して配置されるとともに（図２７（Ａ）参照）、背面周縁部には中保持部材５０４が対向して配置され（図２７（Ｂ）参照）、後側の第１導光板５１１の前面周縁部には中保持部材５０４が対向して配置されるとともに（図２７（Ｃ）参照）、背面周縁部には後保持部材５０５が対向して配置される（図２７（Ｄ）参照）。
【０１４４】
特に、第２導光板５２１の背面における上辺部及び左右斜辺部には、中保持部材５０４の凸条５６２Ｆが近接して配置される。また、第１導光板５１１の前面における上辺部及び左右斜辺部には、中保持部材５０４の凸条５６２Ｂが近接して配置され、背面における上辺部及び左右側辺部には、後保持部材５０５の凹凸部５４９Ｌ，５４９Ｒの凸部５４９Ａが近接して配置される。これら凸条５６２Ｆ，５６２Ｂと凹凸部５４９Ｌ，５４９Ｒの凸部５４９Ａとは、保持体の保持部として機能する。
【０１４５】
また、本実施例では、第１導光板５１１及び第２導光板５２１の前後面が前保持部材５０３，中保持部材５０４及び後保持部材５０５により保持される一方で、第１位置決め用ボス５７１，５５１、第２位置決め用ボス５７２，５５２，５４２、第３位置決め用ボス５７３Ａ，５７３Ｂ，５４３Ａ，５４３Ｂが第１孔部６０１，６１１、第２孔部６０２，６１２，６２２、第３孔部６３３Ａ，６３３Ｂ，６４３Ａ，６４３Ｂにそれぞれ挿入されることで、第１導光板５１１及び第２導光板５２１の保持体に対する取付位置が決定され、保持体からの下方への逸脱が防止される。
【０１４６】
次に、図２２及び図２３に基づいて、第１導光板５１１及び第２導光板５２１の熱膨張について説明する。
【０１４７】
第１導光板５１１及び第２導光板５２１は、アクリル樹脂材により板厚寸法Ｌ１５が約２．５ｍｍの透明板からなるため、前述したように、パチンコ遊技機１の内部の温度変化に応じて伸び縮みが生じる。
【０１４８】
本実施例では、例えば、図２３に示すように、第１導光板５１１における第１孔部６１１と第３孔部６４３Ｂまでの離間寸法Ｌ４０は約４４２ｍｍであり、この場合、製造上の寸法公差は±０．６ｍｍ程度となり、４０度の温度変化に対し最大で約１．６ｍｍ程度の伸びが発生する。よって、第１孔部６１１と第３孔部６４３Ｂの位置が固定されていると、温度変化により約１６．３ｍｍ程度の不可逆的な反りが発生することがある。
【０１４９】
まず、第２導光板５２１について説明すると、図２２（Ａ）に示すように、第２導光板５２１を前保持部材５０３と中保持部材５０４とにより保持した状態において、第１孔部６０１には第１位置決め用ボス５５１が嵌合され、第２孔部６０２の左右方向の略中央位置には第２位置決め用ボス５５２が挿入される。
【０１５０】
図２２（Ｂ）に示すように、第２導光板５２１が熱膨張する場合、第２導光板５２１は、前保持部材５０３と中保持部材５０４に対し相対移動することになるが、第１孔部６０１が前保持部材５０３に形成された第１位置決め用ボス５５１に嵌合されていることで、第１孔部６０１を基準として放射状（図中矢印方向）に伸長することになる。
【０１５１】
ここで、第１孔部６０１及び第２孔部６０２は、第２集光レンズ５２４の出射面５９０Ａから出射される光が入射される上端面５２１Ａの近傍に設けられており、また、第１位置決め用ボス５５１との上下方向の隙間Ｓ１及び第２位置決め用ボス５５２との上下方向の隙間Ｓ３は小さいため、第１孔部６０１及び第２孔部６０２から上方向への伸び幅を小さく抑えることができる。よって、第２導光板５２１の上端面５２１Ａが上方の第２集光レンズ５２４側に伸長することで、第２集光レンズ５２４との離間寸法が左右方向の一の位置（例えば、右側位置）と他の位置（例えば、左側位置）との間で異なる、つまり、第２集光レンズ５２４の出射面５９０Ａと上端面５２１Ａとの位置関係がずれてしまったり、上端面５２１Ａが第２集光レンズ５２４に接触するなどして、第２集光レンズ５２４が傷付いたり破損したりすることが防止される。
【０１５２】
一方、第２位置決め用ボス５５２と第２孔部６０２との隙間Ｓ２が隙間Ｓ１よりも大きいことで、第１孔部６０１を基準とする左方向への伸びは許容されるため、図２２（Ｂ）に示すように、第２孔部６０２が第２位置決め用ボス５５２に対し左側に大きくずれた場合でも、第２導光板５２１を前取付位置に位置決めするための第２位置決め用ボス５５２を押圧して折ってしまうことを回避できるため、前保持部材５０３及び中保持部材５０４に対する位置ずれにより、第２集光レンズ５２４から上端面５２１Ａへの光の入射に悪影響が及ぶことを防止できる。
【０１５３】
尚、第２導光板５２１は、上辺部の第１孔部６０１と第２孔部６０２以外に位置決め用の孔部は設けられていないため、第１孔部６０１を基準とする下方への伸びは許容されることになる。
【０１５４】
次に、第１導光板５１１について説明すると、図２３（Ａ）に示すように、第１導光板５１１を前保持部材５０３及び中保持部材５０４と後保持部材５０５により保持した状態において、第１孔部６１１には第１位置決め用ボス５７１が嵌合され、第２孔部６１２の左右方向の略中央位置には第２位置決め用ボス５７２が挿入され、第２孔部６２２の上下方向の略中央位置には第２位置決め用ボス５４２が挿入される。また、第３孔部６３３Ａ，６３３Ｂの略中央位置には、第３位置決め用ボス５７３Ａ，５７３Ｂが、第３孔部６３３Ａ，６３３Ｂの中心に軸心が位置するように設けられ、第３孔部６４３Ａ，６４３Ｂの略中央位置には、第３位置決め用ボス５４３Ａ，５４３Ｂが、第３孔部６４３Ａ，６４３Ｂの中心に軸心が位置するように設けられる。
【０１５５】
図２３（Ｂ）に示すように、第１導光板５１１が熱膨張する場合、第１導光板５１１は、前保持部材５０３、中保持部材５０４及び後保持部材５０５に対し相対移動することになるが、第１孔部６１１が中保持部材５０４に形成された第１位置決め用ボス５７１に嵌合されていることで、第１孔部６１１を基準として放射状（図中矢印方向）に伸長することになる。
【０１５６】
ここで、第１孔部６１１及び第２孔部６１２は、第１集光レンズ５１４の出射面５９０Ａから出射される光が入射される上端面５１１Ａの近傍に設けられており、また、第１孔部６０１と第１位置決め用ボス５７１との上下方向の隙間Ｓ１１及び第２孔部６０２と第２位置決め用ボス５７２との上下方向の隙間Ｓ１３は小さいため、第１孔部６１１及び第２孔部６１２から上方向への伸び幅を小さく抑えることができる。よって、第１導光板５１１の上端面５１１Ａが上方の第１集光レンズ５１４側に伸長することで、第１集光レンズ５１４との離間寸法が左右方向の一の位置（例えば、右側位置）と他の位置（例えば、左側位置）との間で異なる、つまり、第１集光レンズ５１４の出射面５９０Ａと上端面５１１Ａとの位置関係がずれてしまったり、上端面５１１Ａが第１集光レンズ５１４に接触するなどして、第１集光レンズ５１４が傷付いたり破損したりすることが防止される。
【０１５７】
一方、第２位置決め用ボス５７２と第２孔部６１２との隙間Ｓ１２が隙間Ｓ１１よりも大きいことで、第１孔部６１１を基準とする右方向への伸びは許容されるため、図２３（Ｂ）に示すように、第２孔部６１２が第２位置決め用ボス５７２に対し右側に大きくずれた場合でも、第１導光板５１１を後取付位置に位置決めするための第２位置決め用ボス５７２を押圧して折ってしまうことを回避できるため、前保持部材５０３、中保持部材５０４及び後保持部材５０５に対する位置ずれにより、第１集光レンズ５１４から上端面５１１Ａへの光の入射に悪影響が及ぶことを防止できる。
【０１５８】
また、第１孔部６１１及び第２孔部６２２は、第１集光レンズ５１９の出射面５９０Ａから出射される光が入射される左端面５１１Ｂの近傍に設けられており、また、第１孔部６１１と第１位置決め用ボス５７１との左右方向の隙間Ｓ１１及び第２孔部６１２と第２位置決め用ボス５４２との左右方向の隙間Ｓ１５は小さいため、第１孔部６１１及び第２孔部６２２から左方向への伸び幅を小さく抑えることができる。よって、第１導光板５１１の左端面５１１Ｂが左方の第１集光レンズ５１９側に伸長することで、第１集光レンズ５１９との離間寸法が上下方向の一の位置（例えば、上側位置）と他の位置（例えば、下側位置）との間で異なる、つまり、第１集光レンズ５１９の出射面５９０Ａと左端面５１１Ｂとの位置関係がずれてしまったり、左端面５１１Ｂが第１集光レンズ５１９に接触するなどして、第１集光レンズ５１９が傷付いたり破損したりすることが防止される。
【０１５９】
一方、第２位置決め用ボス５４２と第２孔部６２２との隙間Ｓ１４が隙間Ｓ１１よりも大きいことで、第１孔部６１１を基準とする下方向への伸びは許容されるため、図２３（Ｂ）に示すように、第２孔部６２２が第２位置決め用ボス５７２に対し下側に大きくずれた場合でも、第１導光板５１１を後取付位置に位置決めするための第２位置決め用ボス５４２を押圧して折ってしまうことを回避できるため、前保持部材５０３、中保持部材５０４及び後保持部材５０５に対する位置ずれにより、第１集光レンズ５１９から左端面５１１Ｂへの光の入射に悪影響が及ぶことを防止できる。
【０１６０】
また、第１導光板５１１の四隅に形成された第３孔部６３３Ａ，６３３Ｂ，６４３Ａ，６４３Ｂと第３位置決め用ボス５７３Ａ，５７３Ｂ，５４３Ａ，５４３Ｂとの間の隙間Ｓ１６が第１孔部６１１と第１位置決め用ボス５７１との隙間Ｓ１１より大きいことで、第１孔部６１１を基準とする前後左右方向（全方向）への伸びは許容されるため、図２３（Ｂ）に示すように、各第３孔部６３３Ａ，６３３Ｂ，６４３Ａ，６４３Ｂが各第３位置決め用ボス５７３Ａ，５７３Ｂ，５４３Ａ，５４３Ｂに対し任意の方向に大きくずれた場合でも、第１導光板５１１を後取付位置に位置決めするための第３位置決め用ボス５７３Ａ，５７３Ｂ，５４３Ａ，５４３Ｂを押圧して折ってしまうことを回避できるため、前保持部材５０３、中保持部材５０４及び後保持部材５０５に対する位置ずれにより、第１集光レンズ５１４，５１９から上端面５１１Ａや左端面５１１Ｂへの光の入射に悪影響が及ぶことを防止できる。
【０１６１】
尚、図２２及び図２３では、第１導光板５１１や第２導光板５２１が熱膨張した場合について説明したが、例えば、冬季における製造時、保管時、遊技場の非営業時などにおいてパチンコ遊技機１の内部温度が低下して第１導光板５１１や第２導光板５２１が収縮した場合にあっては、特に図示はしないが、第１孔部６０１，６１１を基準として放射状に収縮、つまり、第１導光板５１１や第２導光板５２１の周縁部が第１孔部６０１，６１１に向けて移動するように収縮する。
【０１６２】
このような場合でも、第２孔部６０２，６１２，６２２の長手方向の略中央位置に第２位置決め用ボス５５２，５７２，５４２が挿入されており、また、第３孔部６３３Ａ，６３３Ｂの略中央位置には、第３位置決め用ボス５７３Ａ，５７３Ｂが、第３孔部６３３Ａ，６３３Ｂの中心に軸心が位置するように設けられ、第３孔部６４３Ａ，６４３Ｂの略中央位置には、第３位置決め用ボス５４３Ａ，５４３Ｂが、第３孔部６４３Ａ，６４３Ｂの中心に軸心が位置するように設けられることで、第２位置決め用ボス５５２，５７２，５４２及び第３位置決め用ボス５７３Ａ，５７３Ｂ，５４３Ａ，５４３Ｂに対する第２孔部６０２，６１２，６２２及び第３孔部６３３Ａ，６３３Ｂ，６４３Ａ，６４３Ｂの第１孔部６０１，６１１側への移動が許容されるため、第２位置決め用ボス５５２，５７２，５４２及び第３位置決め用ボス５７３Ａ，５７３Ｂ，５４３Ａ，５４３Ｂの破損が防止される。
【０１６３】
次に、導光板装置５００による演出表示態様について、図２４及び図２５に基づいて説明する。図２４は、（Ａ）は第２演出表示態様、（Ｂ）は第１演出表示態様を示す説明図である。図２５は、（Ａ）はＬＥＤ、集光レンズ、導光板の導光態様を示す図、（Ｂ）は図２４（Ａ）のＬ−Ｌ断面図である。
【０１６４】
図２４（Ａ）及び図２５に示すように、第２導光板ＬＥＤ５２２を点灯すると、第２導光板ＬＥＤ５２２からの光が第２集光レンズ５２４の入射面５９１Ａに入射され、第２集光レンズ５２４の内部を反射しながら導光されて出射面５９０Ａから出射され、第２導光板５２１の上端面５２１Ａに入射される。そして、上端面５２１Ａから入射された光が内部で反射しながら導光され、反射部５９６にて前方に向けて反射されることで、第２導光板５２１を正面から見たときに、第２導光板５２１における反射部５９６に対応する領域が発光することにより、「激熱！」なる文字が発光表示される第２演出表示が行われる。
【０１６５】
また、第１導光板ＬＥＤ５１２を点灯すると、第１導光板ＬＥＤ５１２からの光が第１集光レンズ５１４の入射面５９１Ａに入射され、第１集光レンズ５１４の内部を反射しながら導光されて出射面５９０Ａから出射され、第１導光板５１１の上端面５１１Ａに入射される。そして、上端面５１１Ａから入射された光が内部で反射しながら導光され、反射部５９８にて前方に向けて反射されることで、第１導光板５１１を正面から見たときに、第１導光板５１１における反射部５９８に対応する領域が発光することにより、「激熱！」なる文字が発光表示される第２演出表示が行われる。尚、可動体３０１が待機位置に位置している場合、該可動体３０１の前面側に「激熱！」なる文字が発光表示される。
【０１６６】
尚、第１導光板ＬＥＤ５１２と第２導光板ＬＥＤ５２２とを同時に点灯させた場合は、第２導光板５２１と第１導光板５１１双方で「激熱！」なる文字が前後に重畳して発光表示される。
【０１６７】
一方、左側の第１導光板ＬＥＤ５１７を点灯すると、第１導光板ＬＥＤ５１７からの光が第１集光レンズ５１９の入射面５９１Ａに入射され、第１集光レンズ５１９の内部を反射しながら導光されて出射面５９０Ａから出射され、第１導光板５１１の左端面５１１Ｂに入射される。そして、左端面５１１Ｂから入射された光が内部で反射しながら導光され、反射部５９８にて前方に向けて反射されることで、第１導光板５１１を正面から見たときに、第１導光板５１１における反射部５９８に対応する領域が発光することにより、エフェクトが発光表示される第１演出表示が行われる。尚、可動体３０１が演出位置に位置している場合、該可動体３０１の周囲にエフェクトが発光表示される。
【０１６８】
本実施例において、演出制御用ＣＰＵ１２０は、大当りの可能性を示唆する大当り予告演出として、「激熱！」なる文字を発光表示する第２演出表示を実行可能としている。つまりこの第２演出表示は、遊技者に対し大当りの可能性が高いことを示唆する文字であり、第１導光板５１１や第２導光板５２１の熱膨張により好適な発光表示が行われず遊技者が文字を認識できないと予告演出としての意味をなさなくなるものであるため、単に演出位置へ移動した可動体３０１の周囲を装飾するエフェクトが発光表示される第１演出表示よりも重要度が高い演出とされている。詳しくは、前述したように第１導光板５１１や第２導光板５２１が熱膨張したことにより、出射面５９０Ａと上端面５１１Ａ，５２１Ａとの位置関係がずれてしまったり、第２集光レンズ５２４や第１集光レンズ５１４が破損することにより、「激熱！」なる文字を遊技者が認識可能な態様で発光表示することができなくなった場合、大当りの可能性を示唆することができなくなり、これにより遊技者の期待感を好適に向上させることができなくなる虞がある。
【０１６９】
一方、エフェクトについては、第１導光板５１１が熱膨張したことにより、出射面５９０Ａと左端面５１１Ｂとの位置関係がずれてしまったり、第１集光レンズ５１９が破損することによりエフェクトを遊技者が認識可能な態様で発光表示することができなくなった場合、装飾性は低下するものの、大当りの可能性を示唆することができなくなるということはない。
【０１７０】
よって、本実施例では、第１演出表示よりも重要度が高い第２演出表示を実行する際に発光させる第１導光板ＬＥＤ５１２、第２導光板ＬＥＤ５２２に対応する部位については、第１導光板５１１や第２導光板５２１の熱膨張により第２集光レンズ５２４や第１集光レンズ５１４と上端面５１１Ａ，５２１Ａとの位置関係が変化しないように、第１導光板５１１や第２導光板５２１において、各第１孔部６０１，６１１と各第２孔部６０２，６１２とは、直線ＬＮ２，ＬＮ４が上端面５１１Ａ，５２１Ａに沿う直線ＬＮ１，ＬＮ３に対し平行をなすように設けられている。
【０１７１】
尚、本実施例では、第２孔部６２２については、第１孔部６１１と第２孔部６２２とを通過する直線が左端面５１１Ｂに沿う直線に対し平行をなすように設けられていなかったが、第１孔部６１１と第２孔部６２２とを通過する直線が左端面５１１Ｂに沿う直線に対し平行をなすように設けてもよい。
【０１７２】
以上説明したように、本発明の実施例としてのパチンコ遊技機１にあっては、発光手段としての第１導光板ＬＥＤ５１２，５１７、第２導光板ＬＥＤ５２２と、第１導光板ＬＥＤ５１２，５１７、第２導光板ＬＥＤ５２２からの光が上端面５１１Ａ，５２１Ａ、左端面５１１Ｂから入射されることにより演出表示（発光表示）を行うことが可能な第１導光板５１１及び第２導光板５２１と、第１導光板５１１、第２導光板５２１が取付けられる被取付部としての前保持部材５０３，中保持部材５０４，後保持部材５０５と、を備え、被取付部は、第１導光板ＬＥＤ５１２，５１７、第２導光板ＬＥＤ５２２に対する第１導光板５１１、第２導光板５２１の位置決め用のボスとして、第１位置決め用ボス５７１，５５１と第２位置決め用ボス５７２，５５２，５４２とを含む複数の位置決め用ボスを有し、第１導光板５１１、第２導光板５２１は、第１位置決め用ボス５７１，５５１が挿入可能な第１挿入部としての第１孔部６０１，６１１と、第２位置決め用ボス５７２，５５２が挿入可能な第２挿入部としての第２孔部６０２，６１２，６２２とを含む複数の挿入部を有し、第２位置決め用ボス５７２，５５２，５４２と第２孔部６０２，６１２，６２２とは、第１導光板５１１、第２導光板５２１を被取付部に取付けた状態において、第２位置決め用ボス５７２，５５２，５４２と第２孔部６０２，６１２，６２２との間に生じる隙間Ｓ２，Ｓ１２，Ｓ１４が第１位置決め用ボス５７１，５５１と第１孔部６０１，６１１，６２２との間に生じる隙間Ｓ１，Ｓ１１よりも大きく、上端面５１１Ａ，５２１Ａ、左端面５１１Ｂに平行または略平行な特定方向への第１導光板５１１、第２導光板５２１の移動を許容する一方で該特定方向以外の方向への第１導光板５１１、第２導光板５２１の移動を規制するように設けられる。
【０１７３】
このようにすることで、第２位置決め用ボス５７２，５５２，５４２と第２孔部６０２，６１２，６２２とにより第１導光板５１１、第２導光板５２１の第１導光板ＬＥＤ５１２，５１７、第２導光板ＬＥＤ５２２側への移動が規制されることで、熱膨張時の入光状況の変化（例えば、第１導光板５１１、第２導光板５２１の熱膨張により上端面５１１Ａ，５２１Ａが出射面５９０Ａに近づくなど、上端面５１１Ａ，５２１Ａと出射面５９０Ａとの離間距離が変化する）を抑えることができるので、第１導光板５１１、第２導光板５２１の熱膨張に対し好適に対応できる。
【０１７４】
尚、前記第１位置決め用ボスと前記第１挿入部との間の隙間（例えば、隙間Ｓ１，Ｓ１１）は、前記第２位置決め用ボスと前記第２挿入部との間の隙間（例えば、隙間Ｓ２，Ｓ１２，Ｓ１４）よりも小さいものであればよく、前記第１位置決め用ボスと前記第１挿入部との間に隙間がないものを含む。
【０１７５】
また、第２孔部６０２，６１２，６２２は、第１導光板５１１、第２導光板５２１の周縁（入射面）近傍に設けられることが好ましい。詳しくは、第１導光板５１１、第２導光板５２１の周縁（入射面）から第２孔部６０２，６１２，６２２までの離間距離は、周縁（入射面）から第３位置決め用ボス５７３Ａ，５７３Ｂ，５４３Ａ，５４３Ｂまでの離間距離よりも小さい距離であることが好ましい。具体的には、第１導光板５１１、第２導光板５２１の板厚寸法Ｌ１５の２倍以上離れた位置であって、板厚寸法Ｌ１５の３倍以下の範囲となることが好ましい。
【０１７６】
また、第１孔部６０１，６１１と第２孔部６０２，６１２とは、第１孔部６０１，６１１と第２孔部６０２，６１２とを結ぶ直線ＬＮ２，ＬＮ４が上端面５１１Ａに沿うＬＮ３，上端面５２１Ａに沿うＬＮ１と平行または略平行となるように設けられている。
【０１７７】
このようにすることで、第１導光板５１１、第２導光板５２１の熱膨張に対し好適に対応できる。詳しくは、第１導光板５１１、第２導光板５２１の周縁（入射面）から第１孔部６０１，６１１までの第１離間距離と第１導光板５１１、第２導光板５２１の周縁（入射面）から第２孔部６０２，６１２までの第２離間距離とが同じになることで、熱膨張による伸び縮みによる影響がほぼ同様に作用するため、第１孔部６０１，６１１側と第２孔部６０２，６１２側とで上端面５１１Ａ，５２１Ａとの位置関係が異なってしまうことを抑制できる。
【０１７８】
さらに、第１孔部６０１，６１１と第２孔部６０２，６１２，６２２とは、上端面５１１Ａ，５２１Ａ、左端面５１１Ｂに対応する位置であって、第１導光板ＬＥＤ５１２，５１７、第２導光板ＬＥＤ５２２に対応しない位置に設けられることが好ましい。このようにすることで、第１孔部６０１，６１１や第２孔部６０２，６１２，６２２が上端面５１１Ａ，５２１Ａ、左端面５１１Ｂから第１導光板５１１、第２導光板５２１内部に入射された光に影響を及ぼすことを極力回避できる。
【０１７９】
また、複数の位置決め用ボスは、第１位置決め用ボス５７１，５５１よりも第１導光板ＬＥＤ５１２，５１７、第２導光板ＬＥＤ５２２から遠い位置に設けられる第３位置決め用ボス５７３Ａ，５７３Ｂ，５４３Ａ，５４３Ｂを有し、複数の挿入部は、第３位置決め用ボス５７３Ａ，５７３Ｂ，５４３Ａ，５４３Ｂが挿入可能な第３挿入部としての第３孔部６３３Ａ，６３３Ｂ，６４３Ａ，６４３Ｂを有し、第１導光板５１１、第２導光板５２１を被取付部に取付けた状態において、第３位置決め用ボス５７３Ａ，５７３Ｂ，５４３Ａ，５４３Ｂと第３孔部６３３Ａ，６３３Ｂ，６４３Ａ，６４３Ｂとの間に隙間Ｓ１６が設けられる。
【０１８０】
このようにすることで、第１導光板５１１、第２導光板５２１の熱膨張に対し好適に対応できる。詳しくは、第１導光板５１１、第２導光板５２１において、第１導光板ＬＥＤ５１２，５１７や第２導光板ＬＥＤ５２２から第１位置決め用ボス５７１，５５１よりも遠い位置でも位置決めできるので、熱膨張に対応しつつ、第１導光板５１１、第２導光板５２１を安定して保持できる。
【０１８１】
また、第３位置決め用ボス５７３Ａ，５７３Ｂ，５４３Ａ，５４３Ｂと第３孔部６３３Ａ，６３３Ｂ，６４３Ａ，６４３Ｂとの間の隙間Ｓ１６は、第１導光板５１１、第２導光板５２１における第３位置決め用ボス５７３Ａ，５７３Ｂ，５４３Ａ，５４３Ｂの軸心に対し直交する全方向（上下左右方向）への移動を許容する。
【０１８２】
このようにすることで、第１位置決め用ボス５７１，５５１に対し任意の位置においても第１導光板５１１、第２導光板５２１を安定して位置決めすることができるため、第１導光板５１１、第２導光板５２１の熱膨張に対し好適に対応できる。
【０１８３】
また、第１導光板５１１、第２導光板５２１には、第１孔部６０１，６１１がそれぞれ１つのみ設けられる一方で、第３孔部６３３Ａ，６３３Ｂ，６４３Ａ，６４３Ｂが複数設けられる。
【０１８４】
このようにすることで、第１導光板５１１、第２導光板５２１を安定して位置決めすることができるため、第１導光板５１１、第２導光板５２１の熱膨張に対し好適に対応できる。
【０１８５】
また、第３位置決め用ボス５７３Ａ，５７３Ｂ，５４３Ａ，５４３Ｂの直径Ｌ２，Ｌ６は、第１位置決め用ボス５７１，５５１の直径Ｌ１０よりも大きい（Ｌ１０＞Ｌ２，Ｌ６）。
【０１８６】
このようにすることで、第１位置決め用ボス５７１，５５１から離れることで熱膨張の影響が大きくなっても壊れにくいので、第１導光板５１１、第２導光板５２１の熱膨張に対し好適に対応できる。また、第１導光板ＬＥＤ５１２，５１７や第２導光板ＬＥＤ５２２に対し、第１位置決め用ボス５７１，５５１よりも離れた位置に設けられることで、第３孔部６３３Ａ，６３３Ｂ，６４３Ａ，６４３Ｂを大きくしても、第１導光板５１１、第２導光板５２１の内部に入射された光の影響を受けにくいので、第３位置決め用ボス５７３Ａ，５７３Ｂ，５４３Ａ，５４３Ｂを大きくして強固に位置決めできる。
【０１８７】
複数の挿入部（例えば、第１孔部６０１，６１１、第２孔部６０２，６１２、第３孔部６３３Ａ，６３３Ｂ，６４３Ａ，６４３Ｂ）は、第１導光板５１１、第２導光板５２１の周縁から該導光板の板厚寸法Ｌ１５の２倍以上離れた位置に設けられている。
【０１８８】
このようにすることで、第１導光板５１１、第２導光板５２１の強度を適切に維持することができる。
【０１８９】
発光手段は、第１発光手段としての第１導光板ＬＥＤ５１７と該第１発光手段とは異なる第２発光手段としての第１導光板ＬＥＤ５１２、第２導光板ＬＥＤ５２２とを有し、第１導光板５１１は、第１導光板ＬＥＤ５１７から光が入射されることにより第１演出表示（例えば、エフェクト）を表示可能であり、第１導光板ＬＥＤ５１２、第２導光板ＬＥＤ５２２から光が入射されることにより前記第１演出表示よりも重要度が高い第２演出表示（例えば、「激熱！」なる文字）を表示可能であり、第１孔部６０１，６１１と第２孔部６０２，６１２とは、第１孔部６０１，６１１と第２孔部６０２，６１２とを結ぶ直線ＬＮ２，ＬＮ４が第１導光板ＬＥＤ５１２、第２導光板ＬＥＤ５２２からの光が入射される端面と平行または略平行となるように設けられている。
【０１９０】
このようにすることで、熱膨張による演出表示の影響が重要度の高い演出表示に対して及ぶことを抑制できる一方で、重要度が低い第１演出表示を実行する際に発光する第１導光板ＬＥＤ５１７に対応して設けられた第２孔部６２２は、強度等を優先した好適な位置に設けることができるため、第１導光板５１１、第２導光板５２１の強度を適切に維持することができる。
【０１９１】
また、上記各位置決め用ボスは、前保持部材５０３，中保持部材５０４，後保持部材５０５における導光板の前後面との対向位置に形成されていることで、遊技者側から見えることがないので、見栄えを損ねることがない。
【０１９２】
また、本実施例では、第１導光板５１１及び第２導光板５２１は、上辺部及び左右側辺部が保持体により保持され、第１位置決め用ボス５７１，５５１及び第１孔部６１１，６０１と、第２位置決め用ボス５７２，５５２及び第２孔部６１２，６０２とは、第１導光板５１１及び第２導光板５２１の上部左右側に設けられていることで、第１導光板５１１及び第２導光板５２１の保持体により保持されていない下辺部側への熱膨張を許容しつつ、集光レンズとの位置関係の変化を抑制することができる。
【０１９３】
また、本発明の実施例としてのパチンコ遊技機１にあっては、発光手段としての第１導光板ＬＥＤ５１２，５１７、第２導光板ＬＥＤ５２２と、第１導光板ＬＥＤ５１２，５１７、第２導光板ＬＥＤ５２２からの光が上端面５１１Ａ，５２１Ａ、左端面５１１Ｂから入射されることにより演出表示（発光表示）を行うことが可能な第１導光板５１１、第２導光板５２１と、第１導光板５１１、第２導光板５２１を前取付位置や後取付位置に保持するための保持体としての前保持部材５０３，中保持部材５０４，後保持部材５０５と、を備え、前保持部材５０３，中保持部材５０４，後保持部材５０５は、第１導光板５１１、第２導光板５２１を一面（前面）側と他面（背面）側とから挟み込むように前取付位置や後取付位置に保持可能であり、第１導光板５１１、第２導光板５２１を前保持部材５０３，中保持部材５０４，後保持部材５０５により保持した状態において、第１導光板５１１、第２導光板５２１と前保持部材５０３，中保持部材５０４，後保持部材５０５との間に隙間Ｓ２０，Ｓ２１，Ｓ２２が設けられる。
【０１９４】
このようにすることで、第１導光板５１１、第２導光板５２１の熱膨張に対し好適に対応できる。詳しくは、前保持部材５０３，中保持部材５０４，後保持部材５０５は、第１導光板５１１や第２導光板５２１の周縁部を前面側と背面側とから挟み込むように保持する構造であるため、設計上、第１導光板５１１や第２導光板５２１との間に隙間Ｓ２０，Ｓ２１，Ｓ２２（クリアランス）を設けることで、熱膨張に対し逃げがなくなって反りが生じてしまうことを好適に回避することができる。
【０１９５】
また、隙間Ｓ２０，Ｓ２１，Ｓ２２は、第１導光板５１１、第２導光板５２１の板厚寸法よりも小さい（図１７、Ｓ２０，Ｓ２１，Ｓ２２＜Ｌ１５）。
【０１９６】
このようにすることで、隙間Ｓ２０，Ｓ２１，Ｓ２２から第１導光板５１１、第２導光板５２１が抜けるのを防止しつつ、第１導光板５１１、第２導光板５２１の熱膨張に対し好適に対応できる。
【０１９７】
また、保持体は、第１部材（例えば、中保持部材５０４）と第２部材（例えば、後保持部材５０５）とから構成され、第１部材には、発光手段に対する第１導光板５１１、第２導光板５２１の第３位置決め用ボス５７３Ａ，５７３Ｂ，５４３Ａ，５４３Ｂが設けられ、第１導光板５１１、第２導光板５２１には、第３位置決め用ボス５７３Ａ，５７３Ｂ，５４３Ａ，５４３Ｂが挿入可能な挿入部としての第３孔部６３３Ａ，６３３Ｂ，６４３Ａ，６４３Ｂが設けられ、第１導光板５１１、第２導光板５２１を前記保持体により保持した状態において、第３位置決め用ボス５７３Ａ，５７３Ｂ，５４３Ａ，５４３Ｂの突出寸法Ｌ３０は、第１導光板５１１、第２導光板５２１と中保持部材５０４との間の隙間Ｓ２０，Ｓ２１，Ｓ２２よりも大きい。
【０１９８】
このようにすることで、第３位置決め用ボス５７３Ａ，５７３Ｂ，５４３Ａ，５４３Ｂと後保持部材５０５との間から第１導光板５１１や第２導光板５２１が抜けるのを防止しつつ、第１導光板５１１や第２導光板５２１の熱膨張に対し好適に対応できる。
【０１９９】
また、前保持部材５０３において第１導光板５１１と対向する位置に凹凸部５４９Ｌ，５４９Ｒが設けられ、第１導光板５１１を前保持部材５０３及び中保持部材５０４と後保持部材５０５により保持した状態において、凹凸部５４９Ｌ，５４９Ｒにおける凸部５４９Ａと第１導光板５１１との間に隙間Ｓ２２が設けられる（図８（Ｂ））。
【０２００】
このようにすることで、第１導光板５１１の熱膨張に対し好適に対応できる（凹部に関しては導光板との間に凸部との間に設けられる隙間よりも大きい隙間が生じる）。詳しくは、前保持部材５０３，中保持部材５０４，後保持部材５０５は、第１導光板５１１や第２導光板５２１の周縁部を前面側と背面側とから挟み込むように保持する構造であるため、凹凸部５４９Ｌ，５４９Ｒを設けることで、第１導光板５１１との接触面積を極力小さくする（部分的に接触させる）ことができる。よって、第１導光板５１１や第２導光板５２１の熱膨張に対し好適に対応することができる。
【０２０１】
また、本発明の実施例としてのパチンコ遊技機１にあっては、発光手段としての第１導光板ＬＥＤ５１２，５１７、第２導光板ＬＥＤ５２２と、第１導光板ＬＥＤ５１２，５１７、第２導光板ＬＥＤ５２２からの光が端面から入射されることにより演出表示（発光表示）を行うことが可能な第１導光板５１１、第２導光板５２１と、第１導光板５１１、第２導光板５２１を前取付位置、後取付位置に保持するための保持体としての前保持部材５０３，中保持部材５０４，後保持部材５０５と、を備え、保持体は、第１導光板５１１、第２導光板５２１を一面（前面）側と他面（背面）側とから挟み込むように前取付位置や後取付位置に保持可能であり、第１導光板５１１、第２導光板５２１を保持した状態において該第１導光板５１１と対向する位置に凹凸部５４９Ｌ，５４９Ｒが設けられ、凹凸部５４９Ｌ，５４９Ｒは、第１導光板５１１を前保持部材５０３，中保持部材５０４，後保持部材５０５により保持した状態において、第１導光板５１１に形成されたエジェクタピン跡６５０と対向しない位置に配置されている。
【０２０２】
このように、前保持部材５０３，中保持部材５０４，後保持部材５０５は、第１導光板５１１や第２導光板５２１の周縁部を前面側と背面側とから挟み込むように保持する構造であるが、凹凸部５４９Ｌ，５４９Ｒを設けることで、第１導光板５１１との接触面積を極力小さくする（部分的に接触させる）ことができる。また、第１導光板５１１や第２導光板５２１の前面や背面に形成されたエジェクタピン跡６５０（凸部）は凹凸部５４９Ｌ，５４９Ｒと対向しないことで、熱膨張により第１導光板５１１や第２導光板５２１が伸び縮みしてエジェクタピン跡６５０が凹凸部５４９Ｌ，５４９Ｒに接触することを回避できるため、第１導光板５１１や第２導光板５２１の熱膨張に対し好適に対応できる。
【０２０３】
また、第１導光板５１１を前保持部材５０３，中保持部材５０４，後保持部材５０５により保持した状態において、第１導光板５１１と凸部５４９Ａとの間に隙間（例えば、隙間Ｓ２２）が設けられる（図８（Ｂ））。
【０２０４】
このように、第１導光板５１１や第２導光板５２１との間に隙間Ｓ２２（クリアランス）を設けるようにことで、熱膨張に対し逃げがなくなって反りが生じてしまうことを好適に回避することができるため、第１導光板５１１の熱膨張に対し好適に対応できる。
【０２０５】
また、本発明の実施例としてのパチンコ遊技機１にあっては、発光手段としての第１導光板ＬＥＤ５１２，５１７、第２導光板ＬＥＤ５２２と、光が上端面５１１Ａ，５２１Ａ、左端面５１１Ｂから入射されることにより演出表示（発光表示）を行うことが可能な第１導光板５１１、第２導光板５２１と、前記発光手段から入射された光を第１導光板５１１、第２導光板５２１に向けて出射する導光部材としての第１集光レンズ５１４，５１９、第２集光レンズ５２４と、第１集光レンズ５１４，５１９、第２集光レンズ５２４が取付けられる被取付部（例えば、前保持部材５０３の背面及び第１導光板ＬＥＤ基板５１３の背面、第２導光板ＬＥＤ基板５２３の前面及び後保持部材５０５の前面、第１導光板ＬＥＤ基板５１８Ｌの背面）と、を備え、第１集光レンズ５１４，５１９、第２集光レンズ５２４には、被取付部に取付けられた状態において該被取付部に設けられた挿入部としての位置決め孔５３０，５９４、位置決め孔５９５，５８０、位置決め孔５９５Ａに挿入可能な集光レンズ位置決め用ボス５９３Ｆ，５９３Ｂが突出して設けられている。
【０２０６】
このようにすることで、集光レンズ位置決め用ボス５９３Ｆ，５９３Ｂを位置決め孔５３０，５９４、位置決め孔５９５，５８０、位置決め孔５９５Ａに挿入することで第１集光レンズ５１４，５１９や第２集光レンズ５２４の取付位置が決定されるため、第１集光レンズ５１４や第２集光レンズ５２４を好適に取付けることができる。
【０２０７】
また、第１集光レンズ５１４，５１９と第２集光レンズ５２４の集光レンズ位置決め用ボス５９３Ｆ，５９３Ｂは、それぞれ第１導光板ＬＥＤ５１２，５１７、第２導光板ＬＥＤ５２２が設けられた第１導光板ＬＥＤ基板５１３，５１８Ｌと第２導光板ＬＥＤ基板５２３に設けられた位置決め孔５９４，５９５，５９５Ａに挿入されることで、第１導光板ＬＥＤ５１２，５１７、第２導光板ＬＥＤ５２２に対し正確に位置決めできるため、第１導光板ＬＥＤ５１２，５１７、第２導光板ＬＥＤ５２２からの光が好適に入射されるようにすることができる。
【０２０８】
また、集光レンズ位置決め用ボス５９３Ｆ，５９３Ｂは、光の出射面５９０Ａや入射面５９１Ａに対し直交する面の表面に突出するように設けられていることで、内部に入射された光の反射に影響を与えにくいようになっている（図１４参照）。
【０２０９】
このようにすることで、第１集光レンズ５１４や第２集光レンズ５２４を好適に取付けることができる。
【０２１０】
また、保持体としての前保持部材５０３，中保持部材５０４，後保持部材５０５を備え、前記保持体は、第１導光板５１１、第２導光板５２１を前保持部材５０３，中保持部材５０４，後保持部材５０５により保持した状態において、第１集光レンズ５１４や第２集光レンズ５２４の移動を規制する規制部としてのレンズ用フック５３１，５６４、凸条５８１を有する。
【０２１１】
このようにすることで、第１集光レンズ５１４や第２集光レンズ５２４を好適に取付けることができる。また、これらレンズ用フック５３１，５６４、凸条５８１により係止される押え片５９２Ａ，５９２Ｂは、第１集光レンズ５１４や第２集光レンズ５２４の左右端部に形成されているため、導光に極力影響が及ばないように取付けることができる。
【０２１２】
また、本実施例では、第１導光板ＬＥＤ５１２，５１７、第２導光板ＬＥＤ５２２からの光は第１集光レンズ５１４，５１９や第２集光レンズ５２４を介して第１導光板５１１や第２導光板５２１に入射されるようになっており、第１集光レンズ５１４，５１９や第２集光レンズ５２４と第１導光板５１１や第２導光板５２１とは同じ材質（例えば、アクリル樹脂材など）により形成される形態を例示したが、本発明はこれに限定されるものではなく、例えば、集光レンズを導光板とは異なる材質にて構成してもよい。具体的には、導光板よりも熱により変形し難い材質にて構成することで、ＬＥＤからの光を好適に導光板に導光することができる。また、材質を異ならせなくても、導光板よりも体積を小さくしたり、板厚を大きくすることにより変形し難いものとしてもよい。
【０２１３】
また、第１導光板ＬＥＤ５１２，５１７、第２導光板ＬＥＤ５２２と第１導光板５１１や第２導光板５２１との間に第１集光レンズ５１４，５１９や第２集光レンズ５２４が介在することで、第１導光板ＬＥＤ５１２，５１７、第２導光板ＬＥＤ５２２からの熱が第１導光板５１１や第２導光板５２１に伝達され難くなるので、熱膨張を抑制できる。
【０２１４】
また、位置決め用ボスが形成される保持体としての前保持部材５０３，中保持部材５０４，後保持部材５０５については、導光板に比べて温度変化により変形し難い材質とすることが好ましいが、第１導光板５１１や第２導光板５２１と同じ材質にて構成するようにしてもよい。このようにすることで、温度変化により導光板と保持体とが同様に伸び縮みするので、熱膨張に好適に対応できる。
【０２１５】
本実施例において、第１導光板や第２導光板などの導光板による演出は、複数のタイミングで実行可能である。さらに、導光板による演出が実行されたタイミングにより、期待度を異ならせることができる。導光板による演出の実行タイミングに遊技者の注意を集めることができれば、導光板による演出の演出効果を向上でき、導光板による演出に基づく興趣をより向上させることができる。
【０２１６】
導光板による演出の実行タイミングとしては、特に限定されず、例えば、１の変動表示が開始した時、１の変動表示においてリーチ状態が発生する前、１の変動表示においてリーチ状態が発生した時、１の変動表示においてリーチ状態が発生した後、大当り遊技状態中などが挙げられる。他にも、導光板による演出以外の各種演出が実行されたタイミングも挙げられる。より具体的には、導光板による演出の実行タイミングとしては、演出ユニット３００の可動体３０１による可動体演出が実行されたタイミングや、遊技者がスティックコントローラ３１Ａまたはプッシュボタン３１Ｂを操作したタイミングなどが挙げられる。なお、１の変動表示において、導光板による演出が複数回実行されてもよい。
【０２１７】
大当り遊技状態中における導光板による演出の実行タイミングとしては、特に限定されないが、例えば、高確率状態へ移行する種別の大当りとなったことを示す演出が実行される時、ラウンドが継続することを示す演出が実行される時、大当りとなる保留記憶が記憶されていることを示す演出が実行される時などが挙げられる。また、特定領域に遊技球が通過したことにもとづいて確変状態へ移行するタイプの遊技機であれば、該特定領域に遊技球が通過したことを示す演出が実行される時が挙げられる。
【０２１８】
他にも、導光板による演出は、例えば、特定の遊技状態（例えば、高ベース状態、低ベース状態、高確率状態、低確率状態）に制御されている期間や特定の演出モード（例えば、高確率状態であるか否かを遊技者に認識させにくくする潜伏モード、ミッションモード）に制御されている期間において、所定のタイミングで実行可能としてもよい。また、未だ開始されていない変動に対する演出（いわゆる、先読み演出）として、実行可能としてもよい。
【０２１９】
また、遊技機が導光板を２以上備える場合、導光板による演出の実行タイミングは、導光板により異なってもよい。また、複数の導光板において導光板による演出の実行タイミングは、同時であってもよい。例えば、第１導光板による演出が実行され、その後、第２導光板による演出が実行されてもよいし、第１導光板による演出と第２導光板による演出とが同時に実行されてもよい。より具体的な例としては、１の変動表示においてリーチ状態が発生する前に第１導光板による演出が実行され、リーチ状態が発生した時やリーチ状態が発生した後に第２導光板による演出が実行されることなどが挙げられる。
【０２２０】
なお、導光板による演出は、導光板による演出以外の演出と並行して実行可能であってもよい。また、導光板による演出は、導光板による演出以外の演出が実行中の場合には、その実行が制限されてもよい。
【０２２１】
また、導光板による演出では、演出が実行されたタイミングにより、期待度を異ならせることができる。例えば、１の変動表示において導光板による演出が実行されるタイミングとして、１の変動表示が開始した時、１の変動表示においてリーチ状態が発生した時、１の変動表示においてリーチ状態が発生した後の３つタイミングがあって、１の変動表示において導光板による演出が１回実行される場合、１の変動表示において導光板による演出が実行されるタイミングが後ろになるほど期待度を高くしたり、低くすることができる。
【０２２２】
さらに、遊技機が導光板を２以上備える場合、導光板による演出が実行されるタイミングと導光板による演出が実行される導光板とにより、期待度を異ならせることができる。例えば、１の変動表示において導光板による演出が実行されるタイミングとして、１の変動表示が開始した時、１の変動表示においてリーチ状態が発生した時、１の変動表示においてリーチ状態が発生した後の３つタイミングがあって、導光板として第１導光板と第２導光板を備え、第１導光板による演出より第２導光板による演出の方が期待度が高く、１の変動表示において第１導光板による演出又は第２導光板による演出が１回実行される場合、１の変動表示において導光板による演出が実行されるタイミングが後ろになるほど期待度を高くしつつ、第１導光板による演出が実行される場合よりも第２導光板による演出が実行される場合の方が期待度を高くすることができる。ゆえに、このような場合、１の変動表示においてリーチ状態が発生した後に第２導光板による演出が実行された場合、最も期待度の高い演出となる。このように、導光板による演出の実行タイミングとどの導光板で導光板による演出が実行されるかどうかに遊技者の注意を集めることで、導光板による演出の演出効果をより向上でき、導光板による演出に基づく興趣をより向上させることができる。
【０２２３】
なお、「期待度」とは、遊技機が有利者にとって有利な状態に制御されることに対する期待度のことをいう。例えば、上記遊技機では、１の変動表示において導光板による演出が実行された場合、大当り遊技状態に対する期待度や大当りの可能性の高い演出（いわゆる、スーパーリーチ演出）への移行に対する期待度などの期待度を高めることができる。また、大当たり遊技状態中において導光板による演出が実行された場合、高確率状態へ移行に対する期待度、ラウンドが継続することに対する期待度、大当りとなる保留記憶が記憶されていることに対する期待度などの期待度を高めることができる。
【０２２４】
以上、本発明の実施例を図面により説明してきたが、具体的な構成はこれら実施例に限られるものではなく、本発明の要旨を逸脱しない範囲における変更や追加があっても本発明に含まれる。
【０２２５】
例えば、前記実施例では、導光板装置５００は、複数枚（本実施例では２枚）の第１導光板５１１と第２導光板５２１とを有する形態を例示したが、本発明はこれに限定されるものではなく、導光板は１枚でもよいし、３枚以上有していてもよい。
【０２２６】
また、前記実施例では、第１導光板５１１は前保持部材５０３及び中保持部材５０４と後保持部材５０５により保持されている形態を例示したが、本発明はこれに限定されるものではなく、第１導光板５１１は中保持部材５０４と後保持部材５０５のみにより保持されていてもよいし、前保持部材５０３と後保持部材５０５とにより保持されていてもよい。
【０２２７】
また、前記実施例では、第２導光板５２１は前保持部材５０３と中保持部材５０４とにより保持される形態を例示したが、本発明はこれに限定されるものではなく、前保持部材５０３と後保持部材５０５とにより保持されていてもよい。
【０２２８】
また、前記実施例では、第１導光板５１１と第２導光板５２１を一面側と他面側とから挟持するように保持する保持体として、それぞれ別個の前保持部材５０３、中保持部材５０４、後保持部材５０５からなる形態を例示したが、本発明はこれに限定されるものではなく、例えば、前保持部材５０３と中保持部材５０４とが予め一体に形成された断面視略コ字形の保持体により第２導光板５２１を保持してもよいし、中保持部材５０４と後保持部材５０５が予め一体に形成された断面視略コ字形の保持体により第１導光板５１１を保持してもよい。
【０２２９】
また、前記実施例では、保持体としての前保持部材５０３、中保持部材５０４、後保持部材５０５は、第１導光板５１１と第２導光板５２１の周縁の一部（例えば、上辺部及び左右端辺部）を前後から挟持するように保持する構造である形態を例示したが、本発明はこれに限定されるものではなく、第１導光板５１１や第２導光板５２１の全周縁を囲むように保持するようにしてもよい。
【０２３０】
また、前記実施例では、保持体としての前保持部材５０３、中保持部材５０４、後保持部材５０５に形成された複数の位置決め用ボスを第１導光板５１１や第２導光板５２１に形成された複数の孔部に挿入することで、保持体に対する導光板の位置決めをする形態を例示したが、本発明はこれに限定されるものではなく、これら位置決め用ボスと孔部とによる位置決めを行うことなく、導光板を保持体により保持するようにしてもよい。
【０２３１】
また、前記実施例では、第１導光板５１１や第２導光板５２１を取付位置に位置決めするための複数の位置決め用ボスは、前保持部材５０３、中保持部材５０４及び後保持部材５０５からなる保持体に形成されている形態を例示したが、本発明はこれに限定されるものではなく、導光板の被取付部となる部材や構造物（例えば、遊技盤２や演出用の可動体など）の一部を保持体として、該保持体に位置決め用ボスを形成してもよい。
【０２３２】
また、前記実施例では、第１導光板５１１には第１挿入部として一の第１孔部６０１が形成され、第２導光板５２１には一の第１孔部６１１が形成された形態を例示したが、本発明はこれに限定されるものではなく、第１導光板５１１や第２導光板５２１に複数の第１挿入部を形成してもよい。
【０２３３】
また、前記実施例では、第２導光板５２１に第３位置決め用ボスが挿入可能な第３挿入部が形成されていない形態を例示したが、本発明はこれに限定されるものではなく、第２導光板５２１に第３位置決め用ボスが挿入可能な第３挿入部を形成してもよい。
【０２３４】
また、上記各位置決め用ボスの突出長さ、直径、外形状、形成位置、形成数及びこれらに対応する各孔部の大きさ、外形状、形成位置、形成数については、上記のように例示したものに限定されるものではなく、種々に変更可能である。
【０２３５】
また、前記実施例では、第１導光板５１１に第３位置決め用ボスが挿入可能な第３挿入部としての第３孔部６３３Ａ，６３３Ｂ，６４３Ａ，６４３Ｂが形成された形態を例示したが、本発明はこれに限定されるものではなく、第１導光板５１１に第３位置決め用ボスが挿入可能な第３挿入部が形成されていなくてもよい。
【０２３６】
また、前記実施例では、第１孔部と第２孔部とは、第１孔部と第２孔部とを結ぶ直線ＬＮ２，ＬＮ４が上端面５１１Ａ，５２１Ａに対し平行または略平行をなすように設けられた形態を例示したが、本発明はこれに限定されるものではなく、必ずしも直線ＬＮ２，ＬＮ４が上端面５１１Ａ，５２１Ａに対し平行または略平行をなすように設けられていなくてもよく、例えば、第２孔部６２２のように、少なくとも第２孔部６０２，６１２が光の入射面である上端面５１１Ａ，５２１Ａに沿うように形成されていてもよいし、あるいは、第１孔部を通過する直線に沿うように形成されていてもよい。
【０２３７】
また、前記実施例では、第１導光板ＬＥＤ５１２，５１７、第２導光板ＬＥＤ５２２からの光が第１集光レンズ５１４，５１９と第２集光レンズ５２４を透して第１導光板５１１、第２導光板５２１に入射される形態を例示したが、本発明はこれに限定されるものではなく、第１導光板ＬＥＤ５１２，５１７、第２導光板ＬＥＤ５２２からの光が集光レンズを介すことなく直接第１導光板５１１や第２導光板５２１に入射されるようにしてもよい。
【０２３８】
また、前記実施例では、第１集光レンズ５１４，５１９と第２集光レンズ５２４の集光レンズ位置決め用ボス５９３Ｆ，５９３Ｂは、光の出射面５９０Ａや入射面５９１Ａに対し直交する面の表面に突出するように設けられる形態を例示したが、本発明はこれに限定されるものではなく、導光に影響を及ぼし難い位置であれば例示した位置以外に形成されていてもよい。
【０２３９】
また、前記実施例では、第１集光レンズ５１４と第２集光レンズ５２４については、前後面に集光レンズ位置決め用ボス５９３Ｆ，５９３Ｂが突設されている形態を例示したが、本発明はこれに限定されるものではなく、少なくとも一面に形成されていればよい。また、一の集光レンズに複数形成されていなくてもよい。
【０２４０】
また、前記実施例では、第１集光レンズ５１４と第２集光レンズ５２４は、複数の凸部５９１が長手方向に複数連設される形状とされていたが、本発明はこれに限定されるものではなく、集光レンズの形状は種々に変更可能であり、上記に例示した形態に限定されるものではない。
【０２４１】
また、前記実施例では、第１導光板ＬＥＤ５１２，５１７、第２導光板ＬＥＤ５２２はフルカラーＬＥＤであり、第１導光板ＬＥＤ５１２，５１７、第２導光板ＬＥＤ５２２の発光色を変化させることで発光演出における演出態様（発光色）を種々に変更可能な形態を例示したが、本発明はこれに限定されるものではなく、例えば、これら第１導光板ＬＥＤ５１２，５１７、第２導光板ＬＥＤ５２２を１色でのみ発光可能な単色ＬＥＤ（例えば、白色ＬＥＤ）を適用し、単色ＬＥＤの光を所定色に着色した第１集光レンズ５１４，５１９及び第２集光レンズ５２４を透過させ第１導光板５１１や第２導光板５２１に入射させることで、第１集光レンズ５１４，５１９及び第２集光レンズ５２４に着色された色にて発光演出を実行できるようにしてもよく、このようにした場合、高価なフルカラーＬＥＤを用いることなく、着色された第１集光レンズ５１４，５１９及び第２集光レンズ５２４を用いることで種々の演出態様（発光色）で発光演出を行うことができる。
【０２４２】
また、前記実施例では、導光板装置５００は、遊技盤２に形成された開口２ｃを被覆するように設けられている形態を例示したが、本発明はこれに限定されるものではなく、導光板装置５００を透過性を有する盤面板からなる遊技盤２の背面側に設け、遊技者側から透明な盤面板を透して導光板による演出表示を視認可能としてもよい。また、透過性を有する盤面板を反射部を有する導光板とし、該盤面板を利用して演出表示を実行可能としてもよいし、盤面板とその背面に設けた導光板装置双方による演出表示を実行可能としてもよい。さらに、導光板装置は、遊技盤２の前面側にセンター飾り枠５１などに任意の位置に取付けられていてもよい。
【０２４３】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０２４４】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０２４５】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【符号の説明】
【０２４６】
１        パチンコ遊技機
２        遊技盤
５００    導光板装置
５０３    前保持部材
５０４    中保持部材
５０５    後保持部材
５１１    第１導光板
５１２，５１７    第１導光板ＬＥＤ
５１４，５１９    第１集光レンズ
５２１    第２導光板
５２２    第２導光板ＬＥＤ
５２４    第２集光レンズ
５４２    第２位置決め用ボス
５４３Ａ  第３位置決め用ボス
【図１】
2018126294.tif 000003
【図２】
2018126294.tif 000004
【図３】
2018126294.tif 000005
【図４】
2018126294.tif 000006
【図５】
2018126294.tif 000007
【図６】
2018126294.tif 000008
【図７】
2018126294.tif 000009
【図８】
2018126294.tif 000010
【図９】
2018126294.tif 000011
【図１０】
2018126294.tif 000012
【図１１】
2018126294.tif 000013
【図１２】
2018126294.tif 000014
【図１３】
2018126294.tif 000015
【図１４】
2018126294.tif 000016
【図１５】
2018126294.tif 000017
【図１６】
2018126294.tif 000018
【図１７】
2018126294.tif 000019
【図１８】
2018126294.tif 000020
【図１９】
2018126294.tif 000021
【図２０】
2018126294.tif 000022
【図２１】
2018126294.tif 000023
【図２２】
2018126294.tif 000024
【図２３】
2018126294.tif 000025
【図２４】
2018126294.tif 000026
【図２５】
2018126294.tif 000027
【図２６】
2018126294.tif 000028
【図２７】
2018126294.tif 000029